(57)【特許請求の範囲】
【請求項１】
押圧操作可能な回転操作子を有し、ダウンロードしたファイルを内蔵の記録手段に記録し、前記記録手段に記録したファイルの内容を表示画面で表示する携帯型の情報処理装置であって、
前記表示画面に主の表示領域とプレビューの表示領域とを設定し、
前記主の表示領域に、前記記録手段に記録したファイル名を一覧表示すると共に、前記回転操作子の回転操作に応動して一覧表示したファイル名を順次選択してカーソルを表示し、
前記プレビューの表示領域に、前記一覧表示で選択されたファイルの内容を部分的に表示し、
前記回転操作子の押圧操作により、前記主の表示領域とプレビューの表示領域との設定を中止して前記表示画面の表示を切り換え、前記表示画面に、前記一覧表示で選択されたファイルの内容をシームレス表示し、
前記シームレス表示が、
前記一覧表示で選択されたファイルのフォルダに保持されたファイルの内容が順次連続するように設定して、前記回転操作子の回転操作に応動して、前記表示画面の表示をスクロールさせる表示である
情報処理装置。
【請求項２】
前記シームレス表示において、
前記回転操作子を押圧操作した状態での前記回転操作子の回転操作と、前記回転操作子を押圧操作していない状態での前記回転操作子の回転操作とで、スクロールの速度を切り換える
請求項１に記載の情報処理装置。
【請求項３】
前記シームレス表示において、
１つのファイルの末尾と、続くファイルの先頭との間に、少なくとも前記続くファイルのファイル名を表示する
請求項１に記載の情報処理装置。
【請求項４】
押圧操作可能な回転操作子を有し、ダウンロードしたファイルを内蔵の記録手段に記録し、前記記録手段に記録したファイルの内容を表示画面で表示する携帯型の情報処理装置における情報処理方法であって、
前記表示画面に主の表示領域とプレビューの表示領域とを設定し、
前記主の表示領域に、前記記録手段に記録したファイル名を一覧表示すると共に、前記回転操作子の回転操作に応動して一覧表示したファイル名を順次選択してカーソルを表示し、
前記プレビューの表示領域に、前記一覧表示で選択されたファイルの内容を部分的に表示するプレビュー表示のステップと、
前記回転操作子の押圧操作により、前記主の表示領域とプレビューの表示領域との設定を中止して前記表示画面の表示を切り換え、前記表示画面に、前記一覧表示で選択されたファイルの内容をシームレス表示するシームレス表示のステップとを有し、
前記シームレス表示が、
前記一覧表示で選択されたファイルのフォルダに保持されたファイルの内容が順次連続するように設定して、前記回転操作子の回転操作に応動して、前記表示画面の表示をスクロールさせる表示である
情報処理方法。
【請求項５】
携帯型の情報処理装置に実装された演算処理手段により実行する情報処理方法のプログラムを記録した記録媒体であって、
前記情報処理装置は、
押圧操作可能な回転操作子を有し、ダウンロードしたファイルを内蔵の記録手段に記録し、前記情報処理方法のプログラムの実行により前記演算処理手段で各部を制御して前記記録手段に記録したファイルの内容を表示画面で表示し、
前記情報処理方法のプログラムは、
前記表示画面に主の表示領域とプレビューの表示領域とを設定させ、
前記主の表示領域に、前記記録手段に記録したファイル名を一覧表示させると共に、前記回転操作子の回転操作に応動して一覧表示したファイル名を順次選択させてカーソルを表示させ、
前記プレビューの表示領域に、前記一覧表示で選択されたファイルの内容を部分的に表示させるプレビュー表示のステップと、
前記回転操作子の押圧操作により、前記主の表示領域とプレビューの表示領域との設定を中止させて前記表示画面の表示を切り換えさせ、前記表示画面に、前記一覧表示で選択されたファイルの内容をシームレス表示させるシームレス表示のステップとを有し、
前記シームレス表示が、
前記一覧表示で選択されたファイルのフォルダに保持されたファイルの内容が順次連続するように設定して、前記回転操作子の回転操作に応動して、前記表示画面の表示をスクロールさせる表示である
情報処理方法のプログラムを記録した記録媒体。
【発明の詳細な説明】
【０００１】
【発明の属する技術分野】
本発明は、情報処理装置、情報処理方法及び情報処理プログラムを記録した記録媒体に関し、例えばパーソナルコンピュータの情報をダウンロードして確認する装置に適用することができる。本発明は、スクロールにおいて、複数ファイルの内容を連続して表示することにより、複数のファイルから所望する情報を簡易かつ迅速に確認することができるようにする。
【従来の技術】
従来、インターネットに代表される情報ネットワークにおいては、種々のサービスが提供されるようになされている。
【０００２】
すなわちこの種のサービスの１つである電子メールにおいては、仕事上の打ち合わせ、報告等に利用して時間の有効利用を図ることができる。またニュース等の配信サービスにあっては、各種メディアより提供される情報の中から、ユーザーの所望する情報の提供を受けることができ、これにより必要とする情報を短時間で収集することができる。また地図情報を提供するサービスにあっては、ユーザーが訪問しようとする地域の案内等を簡易に取得することができる。
【０００３】
【発明が解決しようとする課題】
ところでこのような情報ネットワークよりもたらされる各種情報を出先等で簡易に確認することができれば、便利であると考えられる。すなわち例えば電車の車中でニュース等の配信サービスを確認することができれば、車中で新聞を読むようにこれらの情報を確認することができ、時間を有効に利用することができる。また同様に、車中で電子メールを確認することもできる。また地図上で現在位置を確認しながら訪問先を訪れることもできる。
【０００４】
このような機器においては、複数のファイルから所望する情報を簡易かつ迅速に確認できることが求められる。
【０００５】
本発明は以上の点を考慮してなされたもので、複数のファイルから所望する情報を簡易かつ迅速に確認することができる情報処理装置、情報処理方法及び情報処理プログラムを記録した記録媒体を提案しようとするものである。
【０００６】
【課題を解決するための手段】
かかる課題を解決するため請求項１の発明は、押圧操作可能な回転操作子を有し、ダウンロードしたファイルを内蔵の記録手段に記録し、前記記録手段に記録したファイルの内容を表示画面で表示する携帯型の情報処理装置に適用して、前記表示画面に主の表示領域とプレビューの表示領域とを設定し、前記主の表示領域に、前記記録手段に記録したファイル名を一覧表示すると共に、前記回転操作子の回転操作に応動して一覧表示したファイル名を順次選択してカーソルを表示し、前記プレビューの表示領域に、前記一覧表示で選択されたファイルの内容を部分的に表示し、前記回転操作子の押圧操作により、前記主の表示領域とプレビューの表示領域との設定を中止して前記表示画面の表示を切り換え、前記表示画面に、前記一覧表示で選択されたファイルの内容をシームレス表示し、前記シームレス表示が、前記一覧表示で選択されたファイルのフォルダに保持されたファイルの内容が順次連続するように設定して、前記回転操作子の回転操作に応動して、前記表示画面の表示をスクロールさせる表示である。
また請求項４の発明は、押圧操作可能な回転操作子を有し、ダウンロードしたファイルを内蔵の記録手段に記録し、前記記録手段に記録したファイルの内容を表示画面で表示する携帯型の情報処理装置における情報処理方法に適用して、前記表示画面に主の表示領域とプレビューの表示領域とを設定し、前記主の表示領域に、前記記録手段に記録したファイル名を一覧表示すると共に、前記回転操作子の回転操作に応動して一覧表示したファイル名を順次選択してカーソルを表示し、前記プレビューの表示領域に、前記一覧表示で選択されたファイルの内容を部分的に表示するプレビュー表示のステップと、前記回転操作子の押圧操作により、前記主の表示領域とプレビューの表示領域との設定を中止して前記表示画面の表示を切り換え、前記表示画面に、前記一覧表示で選択されたファイルの内容をシームレス表示するシームレス表示のステップとを有し、前記シームレス表示が、前記一覧表示で選択されたファイルのフォルダに保持されたファイルの内容が順次連続するように設定して、前記回転操作子の回転操作に応動して、前記表示画面の表示をスクロールさせる表示である。
【０００７】
また請求項５の発明は、携帯型の情報処理装置に実装された演算処理手段により実行する情報処理方法のプログラムを記録した記録媒体に適用して、前記情報処理装置は、押圧操作可能な回転操作子を有し、ダウンロードしたファイルを内蔵の記録手段に記録し、前記情報処理方法のプログラムの実行により前記演算処理手段で各部を制御して前記記録手段に記録したファイルの内容を表示画面で表示し、前記情報処理方法のプログラムは、前記表示画面に主の表示領域とプレビューの表示領域とを設定させ、前記主の表示領域に、前記記録手段に記録したファイル名を一覧表示させると共に、前記回転操作子の回転操作に応動して一覧表示したファイル名を順次選択させてカーソルを表示させ、前記プレビューの表示領域に、前記一覧表示で選択されたファイルの内容を部分的に表示させるプレビュー表示のステップと、前記回転操作子の押圧操作により、前記主の表示領域とプレビューの表示領域との設定を中止させて前記表示画面の表示を切り換えさせ、前記表示画面に、前記一覧表示で選択されたファイルの内容をシームレス表示させるシームレス表示のステップとを有し、前記シームレス表示が、前記一覧表示で選択されたファイルのフォルダに保持されたファイルの内容が順次連続するように設定して、前記回転操作子の回転操作に応動して、前記表示画面の表示をスクロールさせる表示である。
【０００８】
請求項１、請求項４又は請求項５の構成によれば、何れのフォルダに所望するファイルが属する場合でも、複数ファイルの内容の連続した表示により、所望のファイルを簡易かつ迅速に確認することができる。
【００１０】
【発明の実施の形態】
以下、適宜図面を参照しながら本発明の実施の形態を詳述する。
【００１１】
（１）実施の形態の形態の構成
（１−１）システムの全体構成
図１は、本発明の第１の実施の形態に係る情報処理システムを示す平面図である。この情報処理システム１は、情報ネットワーク２の端末機器であるパーソナルコンピュータ３により、インターネット、ＬＡＮ等による情報ネットワーク２から各種情報を取得する。この情報処理システム１は、このようにして取得した各種の情報、ユーザーにより作成された各種情報、さらには、フロッピーディスク等の情報記録媒体を介してパーソナルコンピュータ３に格納された各種情報を携帯端末４にダウンロードし、また携帯端末４に記録されたデータをアップロードする。これにより情報処理システム１は、この携帯端末４を携帯して情報ネットワーク２から取得した情報を携帯端末４により確認できるようになされている。また必要に応じてこの携帯端末４を情報記録媒体として使用して、他のパーソナルコンピュータで取得した情報をパーソナルコンピュータ３で利用できる用になされている。
【００１２】
図２は、このパーソナルコンピュータ３の構成を示すブロック図である。パーソナルコンピュータ３は、ＩＳＡ（Industry Standard Architecture）バス１１に各種インターフェースが接続され、このＩＳＡバス１１を介して操作キー１４の操作、電源の異常等が中央処理ユニット１２に通知される。
【００１３】
すなわちパーソナルコンピュータ３において、Ｉ／Ｏコントローラ１３は、ＩＳＡバス１１との間で、英数字キー等による操作キー１４のインターフェース、赤外線ポート１５に接続される赤外線による通信ユニットのインターフェース、フラッシュメモリ１６のインターフェースを構成する。またパーソナルコンピュータ３は、電源供給充電制御回路１８の制御により、外部電源コネクタ１７を介して入力される電源又はバッテリ１９により動作し、また外部電源コネクタ１７を介して入力される電源によりバッテリ１９を充電し、Ｉ／Ｏコントローラ１３は、この電源供給充電制御回路１８とのインターフェースを構成する。またＩ／Ｏコントローラ１３は、操作パネル上に配置された発光ダイオード（ＬＥＤ）２０の駆動回路を構成し、さらには座標入力手段であるスティック式ポインチングデバイス２１のインターフェース、マウスの右クリック、左クリック等の操作子に対応する左、右及びセンタボタン２２のインターフェースを構成する。またパーソナルコンピュータ３は、側面に押圧操作可能な回転操作子であるジョグダイヤル２５が配置され、Ｉ／Ｏコントローラ１３は、このジョグダイヤル２５の回転操作量を検出する回転検出部２６との間のインターフェース、このジョグダイヤル２５の押圧操作を検出する全押し／半押しスイッチ２７のインターフェース、さらには電源スイッチ２８、反転スイッチ２９のインターフェースを構成する。
【００１４】
サウンドコントローラ３１は、ＩＳＡバス１１に接続されてなる音声信号の入出力に係るインターフェースであり、マイク３２を介して取得される音声信号をアナログディジタル変換処理してＩＳＡバス１１に出力し、またこれとは逆にＩＳＡバス１１に出力されるオーディオデータをディジタルアナログ変換処理して内蔵スピーカ３３を駆動する。
【００１５】
モデム３５は、モデム端子３６を介してＩＳＤＮ回線等に接続される。モデム３５は、ＩＳＡバス１１に接続されて、各種情報ネットワークとの間のインターフェースを構成する。これらによりパーソナルコンピュータ３は、操作キー１４等の操作に応動して情報ネットワーク２より所望の情報を取得できるようになされている。
【００１６】
パーソナルコンピュータ３は、ＰＣＩ−ＩＳＡブリッジ３８を介して、このＩＳＡバス１１がＰＣＩ（Peripheral Component Interconnect ）バス４０に接続され、このＰＣＩバス４０に伝送速度の早いインターフェースが接続される。すなわちＰＣカードインターフェース４１は、ＰＣＩバス４０に接続されて、ＰＣカードスロット４２に装着されるＰＣカードのインターフェースを構成する。またＩＥＥＥ１３９４インターフェース４３は、同様にＰＣＩバス４０に接続されて、ＩＥＥＥ１３９４端子に接続される機器との間でＩＥＥＥ１３９４のインターフェースを構成する。
【００１７】
ビデオキャプチャー処理チップ４６は、ＰＣＩバス４０に接続されて、ＣＣＤカメラ４７のインターフェースを構成する。なおビデオキャプチャー処理チップ４６は、Ｉ2 ＣバスによってもＣＣＤカメラ４７と接続される。ＰＣＩ−ＩＳＡブリッジ３８は、ＰＣＩバス４０及びＩＳＡバス１１のインターフェースを構成すると共に、ＰＣＩバス４０とＵＳＢ（Universal Serial Bus）による端子（ＵＳＢ端子）４９とのインターフェース、ＰＣＩバス４０とハードディスク装置（ＨＤＤ）とのインターフェースを構成する。これによりパーソナルコンピュータ３では、ハードディスク装置５０に記録されたアプリケーションプログラムを立ち上げて動作し、さらに各種情報をハードディスク装置５０に記録する。またこのアプリケーションプログラムに従って情報ネットワーク２から取得した各種情報をＵＳＢ端子４９を介して携帯端末４にダウンロードできるようになされ、またこれとは逆に携帯端末４のデータをアップロードできるようになされている。
【００１８】
パーソナルコンピュータ３は、ホスト−ＰＣＩブリッジ５２を介して、このＰＣＩバス１１がホストバスＨＢＵＳに接続され、このホストバスＨＢＵＳにキャッシュメモリ（キャッシュ）５５、中央処理ユニット１２が接続される。またホスト−ＰＣＩブリッジ５２を介して、ビデオコントローラ５４がホストバスＨＢＵＳに接続され、これにより中央処理ユニット１２の制御に従ったビデオコントローラ５４の制御により液晶ディスプレイ５６にＣＣＤカメラ４７で取得した画像、さらにはパーソナルコンピュータ３の操作に必要な各種ＧＵＩ等を表示する。またホスト−ＰＣＩブリッジ５２を介して、ランダムアクセスメモリ（ＲＡＭ）５７がホスト−ＰＣＩバスＨＢＵＳに接続され、これによりランダムアクセスメモリ５７に中央処理ユニット１２のワークエリア等を確保できるようになされている。なおパーソナルコンピュータ３ではクロックジェネレータ５９により各種動作基準の基準信号を生成して各回路ブロックに供給するようになされている。
【００１９】
このようにして構成されるパーソナルコンピュータ３においては、ハードディスク装置５０に記録された内容に従った中央処理ユニット１２における一連の処理により、所定のオペレーションシステム上で各アプリケーションプログラムを実行し、これにより情報ネットワーク２より所望の情報を取得する。またこのようにして取得した情報等を携帯端末４にダウンロードし、さらにはこの携帯端末４より所望の情報をアップロードする。このときパーソナルコンピュータ３においては、ダウンロードした情報を携帯端末４側で統一的に処理できるように、各種フォーマットによる情報を所定フォーマットの情報に変換してダウンロードする。具体的に、パーソナルコンピュータ３は、文字情報についてはテキストデータに変換して、イメージデータについては白黒２値のビットマップデータに変換して携帯端末４にダウンロードする。これによりこの情報処理システム１では、種々のフォーマットによる情報を携帯端末４側で統一的に処理できるようになされ、その分携帯端末４の構成を簡略化できるようになされている。
【００２０】
（１−２）中央処理ユニットの処理
図３は、この携帯端末４に直接関連するアプリケーションプログラムをフォルダの階層構造により示す略線図である。なお、以下における各アプリケーションプログラムの説明においては、ハードディスク装置５０に記録された処理プログラムに従った中央処理ユニット１２の処理を説明するものではあるが、説明を簡略化するために、適宜、アプリケーションプログラムを主体として記述する。
【００２１】
ここでインフォメーションマネージャは、携帯端末４にテキストデータ、ビットマップデータをダウンロード及びアップロードし、これらに付随するファイル管理、プレビュー、ウェブコンバータ等の他のアプリケーションプログラムを立ち上げる等の処理を実行するアプリケーションプログラムである。
【００２２】
ウェブコンバータは、このパーソナルコンピュータ３に保持されたブラウザソフトによりインターネット上のウェブを巡回し、この巡回により取得した情報をテキストデータ、ビットマップデータに変換するアプリケーションプログラムである。これに対してアドレススケジュールコンバータは、このパーソナルコンピュータ３に保持されたアドレス管理用のアプリケーションプログラム、スケジュール管理用のアプリケーションプログラムより、住所録、スケジュールの情報を取得し、これらの情報をテキストデータに変換するアプリケーションプログラムである。
【００２３】
メールコンバータは、同様にこのパーソナルコンピュータ３に保持されたメールソフトより電子メールを取得し、この電子メールをテキストデータ等に変換するアプリケーションプログラムである。イメージコンバータは、このパーソナルコンピュータ３に保持された各種フォーマット（例えばＪＰＥＧ（Joint Photographic Coding Experts Group ）、ＧＩＦ（Graphics Interchange Format ）等）によるイメージデータを白黒２値のビットマップデータに変換するアプリケーションプログラムである。
【００２４】
クリップヘルパーは、クリップボードに取り込まれた文章、イメージをそれぞれテキストデータ化、白黒２値のビットマップデータ化するアプリケーションプログラムであり、このパーソナルコンピュータ３に搭載されたエディタ、ワープロソフト、閲覧ソフト等が立ち上げられた状態でこの処理を実行する。
【００２５】
タイムキーパーは、ウェブコンバータ等のアプリケーションプログラムを自動運転するアプリケーションプログラムである。マップコンバータは、ナビゲーションシステム等による地図情報を白黒２値のビットマップデータに変換するアプリケーションプログラムである。
【００２６】
（１−２−１）クリップヘルパー
図４は、クリップヘルパーのアイコンを示す平面図である。クリップヘルパーは、スタートメニューからの起動により、またはインフォメーションマネージャを起動して表示されるアイコンの操作により起動し、このアイコンが液晶ディスプレイ５６に表示される。
【００２７】
ここでこのアイコンは、ボタンＢ１が表示され、このボタンＢ１の上に、クリップを持った手の画像が表示される。これによりクリップヘルパーは、クリッピングされたデータを処理するメニューであることを直観的に把握できるようになされている。
【００２８】
クリップヘルパーは、クリップボードに文章、画像がコピーされると、ボタンＢ１の操作によりこの文章、画像をそれぞれテキストデータ、白黒２値のビットマップデータに変換して保存する。なおこのオペレーションシステムにおいて、クリップボードにコピーする処理においては、エディタ、ワープロソフト、閲覧ソフト、画像処理ソフト等により文章、画像を表示した状態で、ポインティングデバイス等の操作により領域を指定してメニューを開き、コピーのメニューを選択することにより、この指定された領域の文章、画像がクリップボードにコピーされて実行される。
【００２９】
かくするにつきクリップボードは、表示画面上におけるマウス等の操作により指示された領域の内容を一時記憶する記憶手段であり、オペレーションシステム、アプリケーションプログラムにおいては、表示画面上における指定によりこの記憶手段であるクリップボードに保持した内容をペーストするようになされている。
【００３０】
なお、クリップボードにコピーされるデータにあっては、コピー元のファイルに応じて、指示された領域に含まれる付加的なデータも併せてコピーされ、クリップヘルパーにおいては、これら付加的なデータを取り除いて、実際の画面に表示される情報である文章のデータ、イメージデータである画像データをそれぞれテキストデータ及びビットマップデータに変換する。なおこのような付加的なデータとしては、ＨＴＭＬファイルにおけるタグ等が該当する。
【００３１】
さらにこのアイコンは、右上隅に、クリップヘルパーを閉じるボタンＢ２が表示され、さらにこのボタンＢ２の左側に、アプリケーションプログラムを示す表示が表示される。
【００３２】
クリップヘルパーは、このアイコンにカーソルを移動してマウスの右クリックの相当する操作を実行することにより、メニューの一覧表（ポップアップウインドウ）が表示される。このメニュー一覧には、各種設定、アプリケーションの終了、ヘルプ、ファイル一覧のメニューが表示される。
【００３３】
図５は、このメニュー一覧において、各種設定のメニューを選択した場合に表示されるウインドウ（ダイアログ）を示す平面図である。このウインドウにおいては、最上段に、このウインドウの種類を示す記述Ｋ５１、このウインドウを閉じるボタンＢ５１が表示される。さらに続いて保存場所の文字Ｍ５１が表示され、この表示の右隣のテキストボックＴ５１にテキストデータ化したファイル、ビットマップデータ化したファイルを保存する保存場所が表示される。
【００３４】
また続いてテキストデータ化、ビットマップデータ化したファイルについて、ファイル名を自動的に設定するか否かのチェックボックスＣ５１が表示される。ここでこのチェックボックスＣ５１がチェックされていない場合、クリップヘルパーは、クリップボードにコピーされた文章の先頭部分をテキストデータ化されたファイルのファイル名に設定する。またビットマップデータ化したファイルについては、元の画像データに設定されたファイル名を流用してファイル名を設定する。
【００３５】
これに対してこのチェックボックスＣ５１がチェックされている場合、クリップヘルパーは、テキストデータ化したファイル、ビットマップデータ化したファイルを保存する際に、ユーザーによるファイル名の入力を受け付ける。このときクリップヘルパーは、自動的にファイル名を設定する際に割り当てるファイル名を候補のファイル名として表示し、この表示におけるユーザーの操作によりファイル名の入力を受け付ける。クリップヘルパーは、このようにしてユーザーによりファイル名が入力されて了解の操作が得られると、この設定されたファイル名によりテキストデータ化されたファイル等を保存する。
【００３６】
なおクリップボードにコピーされた内容に、文章と画像とが混在する場合、クリップヘルパーは、テキストデータ化したファイル、ビットマップデータ化したファイルと共に、これらが関連有るファイルであることを示す制御用のファイルを別途これらテキストデータ化したファイル等と同一のフォルダに保存する。これによりクリップヘルパーは、後述するインフォメーションマネージャ等の処理において、関連するファイルが異なるフォルダにばらばらに保存される等の、使い勝手を損なう処理を防止するようになされている。
【００３７】
また続いてクリップボードにコピーされた内容が保存可能な場合に、音で合図するか否かを選択するオプションボタンＢ５１が表示され、この音のチェック用のボタンＢ５２が表示される。クリップヘルパーは、ここで音で合図が選択されると、クリップボードにコピーされた内容をテキストデータ化、ビットマップデータ化することが可能なときには、例えばビープ音によりユーザーに告知し、これによりユーザーの使い勝手を向上するようになされている。
【００３８】
またこのダイアログボックスには、続いてファイルの保存を完了した場合に、音により告知するか否かを選択するチェックボックスＣＨ５２、文章により告知するか否かを選択するチェックボックスＣＨ５３が表示され、右側にこの音のチェック用のボタンＢ５３が表示される。これによってもクリップヘルパーは、ユーザーの使い勝手を向上するようになされている。
【００３９】
さらにこのダイアログボックスには、続いてこのダイアログボックスの表示位置を設定するチェックボックスＣＨ５４が表示され、最下段に、設定完了のボタンＢ５４、設定キャンセルのボタンＢ５５が表示されるようになされている。
【００４０】
これに対して図６は、このメニュー一覧において、ファイル一覧のメニューが選択された場合に表示されるウインドウ（ダイアログ）を示す平面図である。クリップヘルパーは、このファイル一覧に、テキストデータ化、ビットマップデータ化して保存したファイルのファイル名を一覧表示し、これによりフォーマット変換したファイルを確認できるようにする。
【００４１】
このウインドウにおいては、最上段に、このウインドウの種類を示す記述Ｋ６、このウインドウを閉じるボタンＢ６１が表示される。さらに続いてファイル（Ｆ）のメニューＭ６１が表示され、続いてファイル名、時間、パス名の文字Ｍ６２、Ｍ６３、Ｍ６４が表示される。このウインドウにおいては、このファイル名の表示Ｍ６２の下に保存したファイル名が順次表示される。また時間の表示Ｍ６３の下に各ファイルを保存した日時、時間が表示され、パス名の表示Ｍ６４の下に保存場所のパス名が記録される。これによりクリップヘルパーは、このようにクリップボードにコピーされた内容を自動的にテキストデータ化、ビットマップデータ化して保存した場合でも、ユーザーにより保存した内容を確認できるようになされている。
【００４２】
クリップヘルパーは、ファイル（Ｆ）のメニューＭ６１が選択されると、ファイルを開く、削除、名前の変更、閉じる等のメニューを表示する。クリップヘルパーは、図６に示すウインドウにおいて何れかのファイル名がダブルクリックにより選択されると、又は何れかのファイル名が選択された状態でファイル（Ｆ）のメニューＭ６１によりファイルを開くのメニューが選択されると、ウインドウを表示して選択されたファイルの内容を表示する。これによりクリップヘルパーは、自動的にテキストデータ化、ビットマップデータ化して保存したファイルの内容を確認できるようになされ、必要に応じて削除の処理を実行して携帯端末４へのダウンロード対象から除外できるようになされ、またファイル名を変更できるようになされている。なおクリップヘルパーは、このファイルの削除等の処理においても、上述した制御用のファイルが設定されている場合には、ユーザーが削除を希望するファイルに対して、関連するファイルが存在することをユーザーに通知し、ユーザーの注意を喚起する。
【００４３】
また図６に示すウインドウにおいて、ファイル名、時間、パス名の項目を指定した所定の操作により何れかの表示Ｍ６２、Ｍ６３、Ｍ６４を選択すると、対応するソート用のメニューが表示され、このメニューの選択により、例えば保存時間を基準にした降順、昇順等により保存されたファイルの一覧をソートできるようになされている。これによってもクリップヘルパーは、使い勝手を向上できるようになされている。
【００４４】
図７は、このクリップヘルパーにおける中央処理ユニット１２の処理手順を示すフローチャートである。中央処理ユニット１２は、クリップヘルパーが立ち上げられると、ステップＳＰ１からステップＳＰ２に移り、クリップボードにコピーされたか否か判断し、ここで否定結果が得られると、ステップＳＰ２を繰り返す。これにより中央処理ユニット１２は、クリップボードに文章等がコピーされるのを待機し、クリップボードにコピーされるとステップＳＰ３に移る。
【００４５】
ここで中央処理ユニット１２は、クリップボードにコピーされた内容がテキストデータ化、ビットマップデータ化可能か否か判断することにより、保存可能か否か判断する。ここでクリップボードにコピーされた内容がテキストデータ化、ビットマップデータ化困難な場合、中央処理ユニット１２は、ステップＳＰ２に戻るのに対し、テキストデータ化、ビットマップデータ化可能の場合、ステップＳＰ４に移る。
【００４６】
このステップＳＰ４において、中央処理ユニット１２は、図５について上述したウインドウの設定に従って、保存可能である旨、ユーザーに通知する。続いて中央処理ユニット１２は、ステップＳＰ５に移り、ユーザーが保存のボタンＢ１を操作したか否か判断する。ここで所定時間経過してもユーザーが保存のボタンＢ１を操作しない場合、中央処理ユニット１２は、ステップＳＰ２に戻る。これに対してユーザーにより保存のボタンＢ１が操作されると、ステップＳＰ６に移り、ファイル名を生成する。ここで中央処理ユニット１２は、図５について上述した設定に従って、ユーザーの操作により、又は自動的な生成処理により、ファイル名を生成する。
【００４７】
続いて中央処理ユニット１２は、ステップＳＰ７に移り、クリップボードにコピーされた内容をテキストデータ化、ビットマップデータ化する。さらにステップＳＰ６で設定されたファイル名により、専用のフォルダに保存した後、ステップＳＰ２に戻る。なおここでこの専用フォルダは、インフォメーションマネージャのルートディレクトリの真下の専用フォルダであるクリップのフォルダである。このテキストデータ化、ビットマップデータ化の処理において、中央処理ユニット１２は、クリップボードにコピーされた内容にタグ等が含まれている場合には、これらタグ等を省略することにより、フォント、文字の色等の付加的なデータについては、これを除去して処理する。
【００４８】
これによりクリップヘルパーは、簡易な操作により所望のデータをフォーマット変換してファイル化できるようになされている。すなわち従来の手法により、このようにファイルの所望の領域に割り当てられた文章、画像をフォーマット変換してファイル化する場合、ユーザーにおいては、変換元のファイルを開いた状態でクリップボードに処理対象の領域をコピーした後、別途、エディター、画像処理ソフト等を立ち上げてこのコピーした内容を貼り付けることになる。さらにこのようにして貼り付けた内容をファイルとして保存した後、さらにフォーマット変換用のアプリケーションプログラムを立ち上げ、このアプリケーションプログラム上でファイルを開いてフォーマット変換することが必要になる。なおこのアプリケーションプログラムによっては、さらにファイルに名前を付けて保存する操作も必要になる。しかしながらこの実施の形態によれば、このような複数のアプリケーションプログラムを立ち上げる等の処理を省略して、単にクリップボードにコピーしてボタンＢ１を操作するだけの簡易な操作により処理することができる。
【００４９】
またこのとき自動的にファイル名を設定することによっても、ユーザーによるダウンロードに必要な作業を簡略化できるようになされている。
【００５０】
またこのときクリップボードにコピーした内容をテキストデータ化、ビットマップデータ化することにより、元のＨＴＭＬ（Hyper Text Makeup Language）ファイル等については、このテキストデータ化の処理により何ら変更しないようになされている。
【００５１】
なおクリップヘルパーは、イメージデータを白黒２値のビットマップデータに変換する処理においては、後述するイメージコンバータにイメージデータを渡してビットマップデータ化した後、イメージコンバータからビットマップデータを受け取って処理するようになされている。従ってイメージデータをビットマップデータ化する各種設定においては、イメージコンバータに設定された条件により処理するようになされている。なおこの場合、イメージコンバータにおいては、クリップヘルパーのバックグラウンドによりビットマップデータ化の処理を実行する。
【００５２】
かくするにつき、これら一連の処理によりクリップヘルパーは、ユーザーによる選択された各種アプリケーションプログラムによるファイルからテキストデータ、ビットマップデータによるファイルを作成することになる。
【００５３】
（１−２−２）イメージコンバータ
図８は、イメージコンバータの起動により表示されるメイン画面を示す平面図である。イメージコンバータは、スタートメニューからの起動により、またはインフォメーションマネージャを起動して表示されるアイコンの操作により、さらにはウェブコンバータ、クリップヘルパーからの起動指示により起動する。イメージコンバータは、スタートメニューからの起動により、またはインフォメーションマネージャにおけるアイコンの操作により起動した場合に、この図８に示すメイン画面を液晶ディスプレイ５６に表示する。
【００５４】
このメイン画面においては、最上段の左側にイメージコンバータを示すシンボルＳ８、記述Ｋ８が表示され、右側に、表示を最小化するボタンＢ８１、表示を最大化するボタンＢ８２、イメージコンバータを閉じるボタンＢ８３が表示される。さらにメイン画面においては、続いてファイル（Ｆ）、ディザリング（Ｄ）、ヘルプ（Ｈ）のメニューＭ８１、Ｍ８２、Ｍ８３が表示され、続いて変換前の画像の表示領域ＡＲ１と、変換後の画像の表示領域ＡＲ２が水平方向に並んで配置される。なおこの表示領域ＡＲ１及びＡＲ２には、表示する画像の大きさに応じてスクロールバーが表示される。
【００５５】
イメージコンバータは、ファイル（Ｆ）のメニューＭ８１が選択されると、メニューの一覧が表示され、このメニュー一覧に、ファイルを開く、名前を付けて保存、アプリケーションの終了等のメニューが表示される。イメージコンバータは、このメニュー一覧の中からファイルを開くのメニューの選択によりイメージファイルが選択されると、又は他のアプリケーションプログラムにより表示されるイメージファイルのアイコンが表示領域ＡＲ１にドローイングされると、この選択されたイメージファイルによる画像をこの表示領域ＡＲ１に表示する。イメージコンバータは、続いてこの表示領域ＡＲ１に表示したイメージファイルのデータを白黒２値のビットマップデータに変換し、この変換結果による画像を表示領域ＡＲ２に表示する。
【００５６】
このようにして白黒２値のビットマップデータを表示した状態で、ファイル（Ｆ）のメニュー一覧より名前を付けて保存のメニューが選択されると、ファイル名入力用のダイアログボックスを開く。さらにこのダイアログボックスにユーザーがファイル名を入力して保存を指示すると、このビットマップデータによるファイルを専用のフォルダに保存する。なおここでは、インフォメーションマネージャのルートディレクトリの真下の専用フォルダである画像のフォルダに保存する。またファイル名にあっては、ディフォルトで、変換前のイメージデータと同一のファイル名が割り当てられてダイアログボックスに表示される。従って何らユーザーがファイル名を変更しない場合には、元のファイル名により専用フォルダに保存される。
【００５７】
これに対してイメージコンバータは、ディザリングのメニューＭ８２が選択されると、このようにして白黒２値のビットマップデータに変換する処理を種々に変更するメニュー一覧が表示される。ここでこのメニュー一覧には、例えばパターン法、クラスタ法、ディザリング法等のメニューが表示され、これらのメニューの選択により、イメージコンバータは、イメージデータをビットマップデータに変換する際の処理を切り換え、これによりユーザーの好みの画像を提供できるようになされている。
【００５８】
なおイメージコンバータは、ウェブコンバータの指示によっても起動し、この場合はウェブコンバータにより指示されるイメージデータをバックグラウンドにより白黒２値のビットマップデータに変換してウェブコンバータに渡す。これによりイメージコンバータは、ウェブコンバータが取得したＨＴＭＬファイルに割り当てられてなるイメージデータについても、白黒２値のビットマップデータに変換するようになされている。また同様にクリックフォルダによっても起動し、この場合もバックグラウンドにより動作して白黒２値のビットマップデータを生成してクリップヘルパーに渡す。
【００５９】
これによりイメージコンバータは、ユーザーの所望するイメージデータを携帯端末４で処理可能なフォーマットに変換するようになされ、このときオリジナルのイメージデータには何ら変更を加えることなくフォーマット変換し、オリジナルのイメージデータに係るアプリケーションプログラムの処理については、何ら影響を与えないようになされている。
【００６０】
（１−２−３）マップコンバータ
図９は、マップコンバータの起動により表示されるメイン画面を示す平面図である。マップコンバータは、スタートメニューからの起動により、またはインフォメーションマネージャを起動して表示されるアイコンの操作により起動し、このような起動によりこのメイン画面を液晶ディスプレイ５６に表示する。
【００６１】
このメイン画面においては、最上段の左側にマップコンバータを示すシンボルＳ９、記述Ｋ９が表示され、右側に、表示を最小化するボタンＢ９１、表示を最大化するボタンＢ９２、マップコンバータを閉じるボタンＢ９３が表示される。さらにメイン画面においては、続いてファイル（Ｆ）、編集（Ｅ）、表示（Ｖ）、ヘルプ（Ｈ）のメニューＭ９１、Ｍ９２、Ｍ９３、Ｍ９４が表示され、これらメニューの下にプレビューのボタンＢ９４ファイル化して保存する処理を選択するボタン、編集（Ｅ）について後述するコンボボックス（横長及びボタンの表示）ＢＢ９１、表示について後述するコンボボックス（１００％及びボタンの表示）ＢＢ９２が表示される。さらにこのメイン画面においては、これらの表示の下に地図を表示する表示領域ＡＲ３が配置され、起動時、この表示領域ＡＲ３にディフォルトの地図を表示する。またこのウインドウは、最下段に、地図の縮尺Ｋ９１が表示される。
【００６２】
マップコンバータは、ユーザーによりファイル（Ｆ）のメニューＭ９１が選択されるとメニューの一覧を表示し、このメニューの一覧に、保存、地図の切り換え、アプリケーションの終了のメニューを表示する。マップコンバータは、このメニューの一覧より地図の切り換えのメニューが選択されると、又は他のアプリケーションプログラムにより表示される地図ファイルのアイコンが表示領域ＡＲ３にドローイングされると、この表示領域ＡＲ３における地図の表示を切り換える。
【００６３】
これに対してマップコンバータは、表示（Ｖ）のメニューＭ９３が選択されると、又は右側コンボボックスのボタンが操作されると、コンボボックスＢＢ９２を開き、このコンボボックスＢＢ９２に１００％〜７０％の範囲で、５％刻みの倍率を表示する。マップコンバータは、この表示の中からユーザーが所望の倍率を選択すると、この倍率に応じて領域ＡＲ３に表示する地図の倍率を変更する。
【００６４】
またマップコンバータは、この地図の表示の上に、携帯端末４における１画面分の表示可能領域を示す枠Ｗ１を表示する。マップコンバータは、ユーザーによる枠Ｗ１の操作に応動して、この枠Ｗ１の表示位置を変更する。さらにマップコンバータは、編集（Ｅ）のメニューが選択されると、又は左側コンボボックスＢＢ９１のボタンが操作されると、コンボボックスＢＢ９１を開き、このコンボボックスＢＢ９１に横長、標準、縦長、最大のメニューを表示する。マップコンバータは、このうちの横長のメニューが表示されると、枠Ｗ１を基準にして、この枠Ｗ１を右方向に２倍に拡大してなる枠Ｗ２を地図上に表示する。また標準のメニューが選択されると、枠Ｗ１と重なり合うように、枠Ｗ２を表示し、さらに縦長のメニューが選択されると、枠Ｗ１を基準にして、この枠Ｗ１を下方向に２倍に拡大してなる枠Ｗ２を地図上に表示する。さらに最大のメニュー選択されると、枠Ｗ１を基準にして、この枠Ｗ１を右方向及び下方向にそれぞれ２倍に拡大してなる枠Ｗ２を地図上に表示する。これらにより図９においては、横長のメニューが選択されていることになる。かくするにつき枠Ｗ２は、携帯端末４にダウンロードするデータの範囲を示す表示である。これによりマップコンバータは、携帯端末４において１画面で表示できる範囲を確認して、必要に応じて枠Ｗ１の位置、倍率、枠Ｗ２の大きさを変更することにより、携帯端末４にダウンロードする範囲を事前に確認すると共に、種々に変更できるようになされている。
【００６５】
マップコンバータは、ファイル（Ｆ）のメニューＭ９１より保存のメニューが選択されると、図１０に示すウインドウを地図の表示上に表示する。さらにマップコンバータは、枠Ｗ２により囲まれた領域の地図データを白黒２値のビットマップデータに変換し、このビットマップデータをウインドウの表示領域ＡＲＰ１に表示する。このとき枠Ｗ１を縦方向及び又は横方向に拡大して枠Ｗ２が設定されてなる場合には、枠Ｗ１の領域をディフォルトで表示すると共に、拡大の方向に応じてスクロールバーを表示し、このスクロールバーの操作に応動してビットマップデータの表示を切り換える。またプレビューのボタンが操作された場合も同様にプレビューの画面を表示する。これによりマップコンバータは、事前にパーソナルコンピュータ３上でプレビューして携帯端末４にて表示される地図を確認できるようになされている。またこの処理において、マップコンバータは、変換元の地図データのバージョン情報を参照して著作権の所在を示す表示Ｃ１０を地図上に配置してビットマップデータに変換する。
【００６６】
マップコンバータは、このウインドウの下側にファイル名入力用のテキストボックスＢ１０を表示し、このテキストボックスＢ１０にユーザーがファイル名を入力して保存のボタンＢ１１を操作すると、このようにして生成した白黒２値のビットマップデータをユーザーの入力したファイル名により保存する。このときマップコンバータは、インフォメーションマネージャのルートディレクトリの真下の専用フォルダである地図のフォルダにこのファイルを保存する。
【００６７】
これによりマップコンバータは、ユーザーの所望する地図データを携帯端末４で処理可能なフォーマットに変換するようになされ、このときオリジナルの地図データには何ら変更を加えることなくフォーマット変換し、この地図データに係るアプリケーションプログラムの処理については、何ら影響を与えないようになされている。
【００６８】
（１−２−４）アドレススケジュールコンバータ
図１１は、アドレススケジュールコンバータの起動により表示されるメイン画面を示す平面図である。アドレススケジュールコンバータは、スタートメニューからの起動により、またはインフォメーションマネージャを起動して表示されるアイコンの操作により起動し、このメイン画面を液晶ディスプレイ５６に表示する。
【００６９】
このメイン画面においては、最上段の左側にアドレススケジュールコンバータを示すシンボルＳ１１１、記述Ｋ１１１が表示され、右側に、表示を最小化するボタンＢ１１１、表示を最大化するボタンＢ１１２、アドレススケジュールコンバータを閉じるボタンＢ１１３が表示される。さらにこのメイン画面においては、テキストデータ化する対象として、住所録（アドレス帳）又はスケジュールを選択するオプションボタンＢ１１４が配置される。このオプションボタンＢ１１４の下に、変換する住所録、スケジュールに係るアプリケーションプログラムを選択するコンボボックスＢＢ１１１が表示される。
【００７０】
アドレススケジュールコンバータは、このメイン画面におけるオプションボタンＢ１１４の選択に応じて、このメイン画面の中央にタブによる詳細設定のメニューＭ１１１を表示し、この詳細設定のメニューＭ１１１により変換対象の詳細設定を受け付ける。
【００７１】
図１１に示すメイン画面は、テキストデータ化する対象として住所録が選択された場合であり、個人情報と勤務先情報とによるタブにより、各個人の情報を分類して選択できるようになされている。なおタブにより勤務先情報の側が選択された場合、アドレススケジュールコンバータは、図１２に示すように表示を切り換える。
【００７２】
この詳細設定のメニューＭ１１１においては、名前、ニックネーム、メールアドレス等の各項目がそれぞれチェックボックスＣ１１１と共に表示され、各チェックボックスＣ１１１の選択により、テキストデータ化する対象を選択できるようになされている。このメイン画面には、この詳細設定のメニューＭ１１１の右側にプレビューの領域ＡＲＰ１１が配置され、ユーザーの選択したアプリケーションプログラムの住所録ファイルより、詳細設定のメニューＭ１１１で選択された項目を選択的にプレビューの領域ＡＲＰ１１に表示する。これによりアドレススケジュールコンバータは、テキストデータ化する内容を詳細に検討できるようになされている。
【００７３】
さらにこのウインドウには、詳細設定のメニューＭ１１１の下に、設定、取得整形、終了のボタンＢ１１５、Ｂ１１６、Ｂ１１７が配置される。アドレススケジュールコンバータは、設定のボタンＢ１１５の操作により、詳細設定のメニューＭ１１１により設定された項目を確定させる。
【００７４】
これに対して取得整形のボタンＢ１１６が操作されると、アドレススケジュールコンバータは、ユーザーの選択したアプリケーションプログラムの住所録ファイルより、詳細設定のメニューＭ１１１で選択された項目（設定のボタンＢ１１５の操作により確定した項目である）を選択的に取り込んでテキストデータ化する。このときアドレススケジュールコンバータは、１つの住所録ファイルに登録された各個人を単位にして、住所録をテキストデータ化する。
【００７５】
アドレススケジュールコンバータは、このようにして１つの住所録ファイルより個人単位のファイルによるテキストデータを作成し、このテキストデータをインフォメーションマネージャのルートディレクトリの真下の専用フォルダであるアドレスのフォルダに保存する。このときアドレススケジュールコンバータは、各ファイルに、個人名、電話番号によるファイル名を設定し、このアドレスのフォルダの下に、あ行、か行、さ行、た行、な行、は行、ま行、や行、ら行、わ行の各ファイル名を分類するフォルダを作成する。アドレススケジュールコンバータは、これらフォルダの設定に対応するように、各フォルダにファイルを分類して保存する。これによりアドレススケジュールコンバータは、携帯端末４を用いてダウンロードしたデータを確認するにつき、所望のデータを簡易かつ確実に確認できるようにする。
【００７６】
これに対して図１３は、テキストデータ化する対象としてスケジュールが選択された場合である。この場合アドレススケジュールコンバータは、同様のタブによる詳細設定のメニューＭ１３１を表示し、この詳細設定により変換対象の期間、項目、出力形式の設定を受け付ける。すなわち期間の設定メニューＭ１３２においては（図１３）、現在の日を基準にした一定期間のスケジュールを選択するメニューＭ１３２と、任意の期間を選択するメニューＭ１３３とが配置される。これに対して図１４に示すように、項目選択の設定メニューＭ１４１においては、スケジュールに記録した行事の期間、この行事の開始時間、終了期間、行事名等の項目がチェックボックスと共に表示される。また図１５に示すように、出力形式の設定メニューＭ１５１においては、日単位、週単位、月単位の何れかにより出力形式を選択できるように、これらの項目がチェックボックスと共に表示される。
【００７７】
アドレススケジュールコンバータは、住所録の場合と同様に、ユーザーの選択したアプリケーションプログラムのスケジュールファイルより、詳細設定のメニューＭ１３１で選択された項目を選択してプレビューの領域ＡＲＰ１１に表示する。これによりアドレススケジュールコンバータは、テキストデータ化する内容を詳細に検討できるようになされている。
【００７８】
アドレススケジュールコンバータは、設定のボタンＢ１１５の操作により、詳細設定のメニューＭ１３１により設定された項目を確定させる。また取得整形のボタンＢ１１６が操作されると、アドレススケジュールコンバータは、ユーザーの選択したアプリケーションプログラムのスケジュールファイルより、詳細設定のメニューＭ１３１で選択された項目（設定のボタンの操作により確定した項目である）を選択的に取り込んでテキストデータ化する。このときアドレススケジュールコンバータは、１つのスケジュールファイルに記録された項目を、出力形式のメニュー画面Ｍ１５１で設定された日、週、又は月を単位にしてテキストデータ化し、各テキストデータに対応する日、週、又は月によるファイル名を設定する。アドレススケジュールコンバータは、このようにして１つのスケジュールファイルから、ユーザーの選択した単位によるファイルを作成し、このファイルをインフォメーションマネージャのルートディレクトリの真下に配置されたスケジュールのフォルダに保存する。
【００７９】
これによりアドレススケジュールコンバータは、他のアプリケーションプログラムにより管理される住所録ファイル、スケジュールファイルを携帯端末４で処理可能なフォーマットに変換するようになされ、このときオリジナルの住所録ファイル、スケジュールファイル何ら変更を加えることなくフォーマット変換し、これらのデータに係るアプリケーションプログラムの処理については、何ら影響を与えないようになされている。
【００８０】
なおアドレススケジュールコンバータは、後述するタイムキーパーの管理によっても起動して上述の処理を実行し、この場合はバックグラウンドにより動作してスケジュールファイル、住所録ファイルをそれまでの設定によりテキストデータ化して保存する。
【００８１】
（１−２−５）メールコンバータ
図１６は、メールコンバータの起動により表示されるメイン画面を示す平面図である。メールコンバータは、スタートメニューからの起動により、またはインフォメーションマネージャを起動して表示されるアイコンの操作により起動し、このような起動によりこのメイン画面を液晶ディスプレイ５６に表示する。
【００８２】
このメイン画面においては、最上段の左側に、メールコンバータを示すシンボルＳ１６１、記述Ｋ１６１が表示され、右側に、表示を最小化するボタンＢ１６１、表示を最大化するボタンＢ１６２、メールコンバータを閉じるボタンＢ１６３が表示される。さらにメイン画面においては、続いてファイル（Ｆ）、編集（Ｄ）、表示（Ｖ）、整形（Ｒ）、設定（Ｃ）、ヘルプ（Ｈ）のメニューＭ１６１〜Ｍ１６６が表示され、これらメニューＭ１６１〜Ｍ１６６の下に、電子メールを取得する取得のアイコンＩ１６１、取得した電子メールをまとめてテキストデータ等に変換する整形のアイコンＩ１６２が表示される。
【００８３】
さらにこのメイン画面においては、これらの表示の下の左側に、フォルダの表示領域ＡＲ５が配置され、この領域ＡＲ５にユーザーにより選択されたメールソフトにおける電子メールのフォルダがツリー構造により表示される。またこのメイン画面においては、このフォルダの表示領域ＡＲ５の右側、上側に、メールソフトより取得した電子メールの表示領域ＡＲ６が形成され、この表示領域ＡＲ６の下に、電子メールの内容を表示するビュアーの領域ＡＲ７が形成される。なおこれら領域ＡＲ５〜ＡＲ７には、必要に応じてスクロールバーが配置される。
【００８４】
メールコンバータは、これら表示領域ＡＲ５〜ＡＲ７における表示において、、対象となる電子メールが１件も無いフォルダについては、表示領域ＡＲ５における当該フォルダの表示を中止する。さらにメールコンバータは、階層的にこの電子メールのフォルダが作成されている場合でも、電子メールのフォルダに保存された電子メールだけでなく、この電子メールのフォルダの下位階層のフォルダに保存された全ての電子メールについても、領域ＡＲ６に一覧表示する。これにより中央処理ユニット１２は、フォルダを跨いだ複数ファイルの削除、まとめたフォルダの移動の処理等を実行できるようになされ、その分ユーザーの使い勝手を向上するようになされている。
【００８５】
図１７は、このフォルダ、電子メールの表示に関する中央処理ユニット１２の処理手順を示すフローチャートである。すなわち中央処理ユニット１２は、メールコンバータを起動すると、ステップＳＰ１１からステップＳＰ１２に移り、図１６について上述したメイン画面を表示し、さらにメイン画面のフォルダの表示領域ＡＲ５に電子メールのフォルダをツリー構造により表示する。続いて中央処理ユニット１２は、ステップＳＰ１３に移り、これら複数のフォルダに含まれる全てのファイルを電子メールの表示領域ＡＲ６に表示する。このとき中央処理ユニット１２は、各電子メールの差し出し人、件名、受信日時を併せて表示する。
【００８６】
続いて中央処理ユニット１２は、ステップＳＰ１４に移り、フォルダの表示領域ＡＲ５におけるユーザーの操作により何れかのフォルダが選択されたか否か判断し、ここで否定結果が得られると、ステップＳＰ１５に移る。ここで中央処理ユニット１２は、電子メールの表示領域ＡＲ６におけるユーザーの操作により何れかのファイルが選択されたか否か判断し、否定結果が得られると、ステップＳＰ１４に戻る。これにより中央処理ユニット１２は、このメイン画面を最も手前に表示した状態でユーザーによるファイル、フォルダの選択を待機する。なお中央処理ユニット１２は、このメイン画面を表示した状態で、このようなファイル、フォルダの選択を待機するだけなく、後述するファイル等のメニューの選択も併せて待機し、これらのメニューが選択された場合、各メニューに対応する処理を実行する。
【００８７】
かくするにつき中央処理ユニット１２は、このようにファイル、フォルダの選択を待機した状態で、ユーザーによりフォルダが選択されると、ステップＳＰ１４において肯定結果が得られることにより、ステップＳＰ１４からステップＳＰ１６に移る。ここで中央処理ユニット１２は、この選択されたフォルダにファイルが存在するか否か判断し、ここで否定結果が得られると、ステップＳＰ１４に戻る。
【００８８】
これに対して選択されたフォルダにファイルが存在する場合、中央処理ユニット１２は、ステップＳＰ１６からステップＳＰ１７に移り、選択されたフォルダの先頭に保存された電子メールを電子メールの表示領域ＡＲ７に表示するようにこの表示領域ＡＲ６の表示をスクロールし、またこのスクロールに対応するようにスクロールバーを変位させる。なおこの実施の形態では、この先頭に保存された電子メールを表示領域ＡＲ７の先頭に表示するように、表示領域ＡＲ７をスクロールさせる。さらに中央処理ユニット１２は、この先頭ファイルの表示を反転表示に切り換え、ユーザーにより容易に認識できるようにする。
【００８９】
続いて中央処理ユニット１２は、ステップＳＰ１８に移り、ここでこの先頭ファイルの内容をビュアーの領域ＡＲ７に表示した後、ステップＳＰ１４に戻る。
【００９０】
これに対してファイルの表示領域ＡＲ６における操作によりユーザーがファイルを選択すると、中央処理ユニット１２は、ステップＳＰ１５において肯定結果が得られることにより、ステップＳＰ１５からステップＳＰ１９に移る。ここで中央処理ユニット１２は、指示されたファイルが保存されているフォルダをフォルダの表示領域ＡＲ５に表示するように、表示領域ＡＲ５の表示をスクロールさせる。さらにこのフォルダを反転表示し、これによりユーザーにより容易に認識できるようにする。
【００９１】
続いて中央処理ユニット１２は、ステップＳＰ２０に移り、表示領域ＡＲ７の表示を指示されたファイルの内容に切り換えた後、ステップＳＰ１４に戻る。これらにより中央処理ユニット１２は、電子メールのフォルダが形成されてなるフォルダだけでなく下位階層のフォルダに属する電子メールまで全て表示するようにしても、ユーザーにより電子メールの所在するフォルダを容易に認識できるようになされ、さらに各フォルダに保持された電子メールを容易に認識できるようになされている。
【００９２】
かくするにつき、このようにそのフォルダに属するファイルだけでなく、下位階層のフォルダに属するファイルまでも併せて表示すれば、所望するファイルが何れのフォルダに属する場合でも、簡易かつ迅速に発見することができる。また複数のファイルを所望する場合に、この所望するファイルが異なるフォルダに属する場合でも、簡易かつ迅速に発見することができる。またこの実施の形態のようにフォルダを跨いで複数ファイルの選択を受け付けることができるようにし、さらにはこのようにして選択された複数ファイルの削除、移動等の処理も纏めて受け付けることが可能となる。これらにより従来のようにフォルダ毎にファイル名を表示する場合に比して格段的に使い勝手を向上することができる。
【００９３】
中央処理ユニット１２は、このようにフォルダ、電子メールを表示した状態で、ユーザーによる操作に応動してユーザーの所望する電子メールをテキストデータ等に変換する。
【００９４】
すなわちこのメイン画面において、ユーザーが設定（Ｃ）のメニューＭ１６５を選択すると、メールコンバータは、図１８に示す設定のウインドウを表示する。ここでこの設定のウインドウには、最上段の左側に、設定のメニュー画面であることを示すシンボルＳ１８１、記述Ｋ１８１が表示され、右側に、このメニュー画面を閉じるボタンＢ１８１が表示される。またこのメイン画面においては、続いてタブによる詳細設定のメニューＭ１８１が表示され、最下段にＯＫ、キャンセルのボタンＢ１８２、Ｂ１８３が表示される。
【００９５】
メールコンバータは、タブの操作により取得条件のメニュー画面Ｍ１８１Ａが選択されると、未読の項目Ｋ１８２、新着メッセージを取得するの項目Ｋ１８３、フォルダ指定の項目Ｋ１８４にそれぞれチェックボックスを配置して表示する。メールコンバータは、未読の項目Ｋ１８２がユーザーによりチェックされると、メールソフトのフォルダに保持された各電子メールより未読の電子メールをテキストデータ等の変換対象に設定する。これに対して新着メッセージを取得する項目Ｋ１８３がチェックされた場合、直前のメールサーバーへのアクセスにより取得された電子メールをテキストデータ等の変換対象に設定する。またフォルダ指定の項目Ｋ１８４がチェックされた場合、ユーザーによる指定されるフォルダに保持された電子メールをテキストデータ等の変換対象に設定する。
【００９６】
さらにこの取得条件のメニュー画面Ｍ１８１Ａにおいては、フォルダ指定に関連するテキストボックスＢＢ１８１が表示され、続いて取得する条件の設定メニューＭ１８２が表示される。ここでこの条件としては、日付（Ｄａｔａ）、件名（Ｓｕｂｊｅｋｅｃｔ）、送信者（Ｆｒｏｍ）等を設定できるようになされ、メールコンバータは、チェンクボタンの設定によりこれらの項目が設定されると、未読、新着メッセージ等の中から該当する電子メールをテキストデータ等の変換対象に設定する。かくするにつきメールコンバータは、このメニュー画面の下段に配置されたＯＫのボタンＢ１８２の操作によりこの条件設定のメニュー画面で設定された項目を確定する。これによりメールコンバータは、携帯端末４にダウンロードして簡易に所望のメールを確認できるようにする。
【００９７】
これに対してタブの操作により整形方法が選択されると、図１９に示すように整形方法の条件設定メニューＭ１８１Ｂを表示する。ここでこのメニュー画面Ｍ１８１Ｂには、テキストデータ等に変換する電子メールのファイル名を自動設定するか否かのチェックボックスＣ１８１がファイル名の設定の項目と共に表示される。さらにこのファイル名に割り当てる項目として送信者、件名、受信日の各項目がチェックボックスＣ１８２〜Ｃ１８４、文字数入力用のテキストボックスＴ１８１〜Ｔ１８３と共に表示される。なおこれらの項目には、それぞれ実際にファイル名に割り当てる際に設定される半角スペース、連番等の表示が付加され、またこれら項目の下段にファイル名としての総合の文字数Ｔ１８４が表示され、これによりユーザーにおいて、設定した内容から実際のファイル名を容易に確認できるようになされている。
【００９８】
かくするにつき、この図１９に示す設定の場合、メールコンバータは、電子メールの送信者名の先頭７文字＋半角スペース＋件名の先頭１８文字＋半角スペース＋日／月／年  時間により表される受信日の先頭１０文字により構成される文字列を、テキストデータ化した各電子メールのファイル名に設定する。これに対してファイル名の設定のチェックボックスＣ１８１がユーザーによりチェックされていない場合、メールコンバータは、図１０について上述したと同様にして各電子メール毎にユーザーによるファイル名の入力を受け付ける。
【００９９】
なおこのメニュー画面では、このようなファイル名の設定を初期状態に戻すボタンＢ１８２が表示されるようになされている。また変換の際に、禁則処理するか否かのオプションボタンＯＢ１８１、電子メールに添付されたイメージデータを併せて変換するか否か（この場合は２値のビットマップデータへの変換である）のチェックボックスＣ１８６、タグを削除するか否かのチェックボックスＣ１８７が併せて表示され、メールコンバータにおいては、電子メールをテキストデータに変換する際に、これらのチェックボックスの設定に従って一連の変換処理を実行する。またメールコンバータは、このメニュー画面についても、下段に配置されたＯＫのボタンＢ１８３の操作によりこの条件設定のメニュー画面で設定された項目を確定する。
【０１００】
これに対してタブの操作によりメールソフトの設定が選択されると、図２０に示すようにメールソフトの設定画面Ｍ１８１Ｃを表示する。ここでこの画面には、一般的に広く使用されているメールソフト、チェックボックスの表示Ｄ１８１が配置され、さらにはこの表示におけるチェックボックスのチェックにより選択されたメールソフトについての機能表示欄Ｔ２０１が形成されるようになされている。メールコンバータは、このチェックボックスのチェックによりユーザーの選択したメールソフトから電子メールを取得するようになされている。なおメールコンバータは、この設定画面についても、下段に配置されたＯＫのボタンの操作により選択された項目を確定する。
【０１０１】
これに対してファイル（Ｆ）のメニューＭ１６１が選択されると（図１６）、メールコンバータは、メニューの一覧を表示する。ここでこのメニューの一覧には、アプリケーションの終了等のメニューが表示される。メールコンバータは、このメニューでユーザーにより取得のメニューが選択されると、又は取得のアイコンＩ１６１が選択されると、上述した取得条件の設定により設定された条件に従ってメールサーバーをアクセスして電子メールを取得し、この取得した電子メールをメール一覧の表示領域ＡＲ６に表示する。なおこの取得した電子メールは、メールソフトのフォルダに保存される。
【０１０２】
これに対して表示（Ｖ）のメニューＭ１６３が選択されると、メールコンバータは、表示画面の切り換えメニューを表示し、このメニューの選択に従って例えばメール一覧の表示領域ＡＲ６について、取得した電子メール一覧と、取得元の電子メール一覧とで表示を切り換える。
【０１０３】
また中央処理ユニットは、編集（Ｅ）のメニューＭ１６２が選択されると、削除、取得等のメニューを表示する。メールコンバータは、取得した電子メール一覧の表示において電子メールが選択された後、削除のメニューが選択されると、この電子メールを変換対象より除外する。また取得元の電子メール一覧の表示において電子メールが選択された後、取得のメニューが選択されると、この電子メールを変換対象に加える。かくするにつきこのような電子メールの取得、取得した電子メールの削除において、メールコンバータは、仮想的に削除等の処理を実行し、これにより元のメールソフトのフォルダに保持された内容については、何ら操作しないようになされている。また上述した下位階層を含めた全ての電子メールを全て一覧により表示することにより、複数のフォルダに跨がった複数の電子メールを纏めて操作できるようになされ、これにより使い勝手を向上できるようになされている。
【０１０４】
これに対して整形（Ｒ）のメニューＭ１６４が選択されると、メールコンバータは、取得した電子メールを携帯端末４にダウンロードするフォーマットに変換する。具体的に、メールコンバータは、電子メールをテキストデータ化する。このとき電子メールの添付ファイルについては、テキストデータ、白黒２値のビットマップデータに変換する。
【０１０５】
メールコンバータは、このようにして生成した各ファイルをインフォメーションマネージャの真下の配置されたメール用のフォルダに保存する。このときメールコンバータは、変換元のフォルダ構造をそのままこのメール用のフォルダに作成し、変換元に対応するように、このようにして作成したフォルダに各ファイルを記録する。さらにこのとき整形条件の設定に従って各ファイルにファイル名を設定する。このとき添付ファイルについては、添付された電子メールとの関連を示す制御用ファイルを併せて保存し、これによりこれら電子メールと添付ファイルとがばらばらにならないようにする。
【０１０６】
なおメールコンバータは、このように整形したファイルについては、変換元の電子メール一覧の表示（図１６、領域ＡＲ６）において、整形の箇所にマークを表示し、ユーザーにより容易に確認できるようにする。また取得元の電子メール、取得した電子メールの場合と同様に、表示により一覧表示の領域ＡＲ６を切り換えて整形後のファイルを確認できるようになされ、さらにこの整形後のファイル一覧における編集のメニューの選択により、整形したファイルの削除等の処理を実行できるようになされている。
【０１０７】
かくするにつきメールコンバータにおいても、テキストデータ化等の処理を実行しても、元のメールソフトのフォルダに保持した電子メールについては、何ら影響を与えないようになされている。
【０１０８】
なおメールコンバータは、後述するタイムキーパーの管理によっても起動して上述の処理を実行し、この場合はバックグラウンドにより動作して電子メールをテキストファイル、ビットマップファイル化して保存する。
【０１０９】
（１−２−６）ウェブコンバータ
図２１は、ウェブコンバータの起動により表示されるメイン画面を示す平面図である。ウェブコンバータは、スタートメニューからの起動により、またはインフォメーションマネージャを起動して表示されるアイコンの操作により起動し、このような起動によりこのメイン画面を液晶ディスプレイ５６に表示する。
【０１１０】
このメイン画面においては、最上段の左側に、ウェブコンバータを示すシンボルＳ２１１、記述Ｋ２１１が表示され、右側に、表示を最小化するボタンＢ２１１、表示を最大化するボタンＢ２１２、メールコンバータを閉じるボタンＢ２１３が表示される。さらにメイン画面においては、続いてファイル（Ｆ）、設定（Ｃ）、操作（Ｏ）、ヘルプ（Ｈ）のメニューＭ２１１〜Ｍ２１４が表示され、続いて設定、取得、整形のアイコンＩ２１１〜Ｉ２１３が表示される。さらにこれらの下側に、ダウンロード結果の表示領域ＡＲ２１が作成され、この領域にインターネットに接続してダウンロードしたファイルが表示される。
【０１１１】
図２２は、メイン画面において設定（Ｃ）のメニューＭ２１２の操作により表示されるメニュー画面を示す平面図である。ここでこのメニュー画面においては、巡回先の設定、プロキシーの設定、整形形式の設定によるメニューＭ２２１〜Ｍ２２３が表示される。ウェブコンバータは、これらのメニューのうち巡回先の設定のメニューＭ２２１が選択されると、又はメイン画面において設定のアイコンＩ２１２が操作されると、図２３に示す巡回先の設定ウインドウＵ２３を表示して巡回先の設定を受け付ける。
【０１１２】
ここでこの巡回先の設定ウインドウＵ２３においては、最上段の左側に巡回先の設定の文字Ｍ２３１が表示され、右側に、この設定ウインドウを閉じるボタンＢ２３１が表示される。さらにこのメイン画面においては、追加、削除、編集、閉じるのボタンＢ２３２〜Ｂ２３４が表示される。さらにこのウインドウＵ２３においては、最も下段の表示領域ＡＲ２３に巡回先の一覧が表示される。
【０１１３】
ウェブコンバータは、ユーザーにより追加のボタンＢ２３２が操作されると、追加のウインドウを開き、このウインドウによりＵＲＬ（Uniform Resorce Locator ）、タイトル、取得する階層、巡回する曜日、取得する情報の種類、情報の取得に必要なＩＤ、パスワード等の設定を受け付ける。なおウェブコンバータは、この追加のウインドウにおいて、ブラウザより取得のボタンを表示し、ブラウザによりＵＲＬを表示している場合には、このブラウザより取得のボタンの操作により、ＵＲＬ、タイトルを自動的に取得できるようになされている。
【０１１４】
これに対して巡回先の一覧より所望の巡回先が選択された状態で、ユーザーにより編集のボタンＢ２３４が操作されると、ウェブコンバータは、編集のウインドウを開く。このウインドウにおいて、ウェブコンバータは、ＵＲＬ、タイトル、取得する階層、巡回する曜日等の変更を受け付ける。これに対して巡回先の一覧より所望の巡回先が選択された状態で、ユーザーにより削除のボタンＢ２３３が操作されると、ウェブコンバータは、該当する巡回先を登録より抹消する。
【０１１５】
さらにこの巡回先の設定ウインドウにおいては、追加等のボタンとＢ２３２〜Ｂ２３４、巡回先一覧の表示領域ＡＲ２３との間に、ソート、お勧めサイト、お勧めサイトの更新のボタンＢ２３５〜Ｂ２３７が表示される。ウェブコンバータは、ソートのボタンＢ２３５が操作されると、巡回先一覧に表示された内容をユーザーの操作に応動してソートする。これに対してお勧めサイトのボタンＢ２３６が操作されると、ブラウザに登録されたお勧めサイトの一覧を表示し、この表示におけるユーザーの操作により、これらお勧めサイトを巡回先に登録できるようになされている。なおここでお勧めサイトとは、ブラウザ等をインストールする際に併せて設定されるブラウザソフトメーカー、パーソナルコンピュータメーカーが推奨するサイトである。
【０１１６】
なおこのウインドウにおいては、巡回先一覧の表示領域ＡＲ２３において、各巡回先にチェックボックスＣ２３１が配置され、このチェックボックスＣ２３１のチェックにより、先の設定とは別に、巡回先を適宜設定できるようになされている。
【０１１７】
これに対してお勧めサイトの更新のボタンＢ２３７が操作されると、このウェブコンバータに登録されたお勧めサイトを更新する。すなわちウェブコンバータは、このお勧めサイトを更新するボタンＢ２３７の操作によりダイヤルアップして事前に設定されたサイトをアクセスする。このサイトにおいて、ウェブコンバータは、このボタンに設定されたＵＲＬにより更新用のＵＲＬ、タイトル等を保持したページをアクセスし、このページよりこれらＵＲＬ、タイトル等をダウンロードする。ウェブコンバータは、その後、このサイトへの接続を遮断した後、取得したＵＲＬ、タイトル等によりお勧めサイトに登録された一連のＵＲＬ、タイトルを更新する。
【０１１８】
これによりこのウェブコンバータは、このような更新用のＵＲＬ、タイトル等を保持するサイト側の管理により、お勧めのサイトについて最新の情報を簡易に取得できるようになされている。すなわちブラウザ、パーソナルコンピュータ等にあっては、ユーザーによるインターネット閲覧の手助けとなるように、ブラウザにおいてはインスロールにより、パーソナルコンピュータにあっては、プラグインソフトの一部としてお勧めのサイトが登録されるようになされている。しかしながらインターネットにあっては、ＵＲＬが変更される場合があり、またサイト自体が一新される場合もある。このようなＵＲＬの変更等があると、パーソナルコンピュータに登録したお勧めサイトにあっては、却って使い勝手の悪いものとなる。
【０１１９】
このような現状に対してこのウェブコンバータにおいては、簡易な操作により登録したお勧めサイトの情報を更新できることにより、このような更新用のＵＲＬ、タイトルを提供するサイト側の管理により、常に最新のお勧めサイトの情報を保持することができ、これによりＵＲＬの変更等に簡易かつ確実に対応できるようになされている。
【０１２０】
これに対してこの設定のメニューにおいて（図２２）、プロキシーの設定のメニューＭ２２２が選択されると、ウェブコンバータは、所定のウインドウを開いて、プロキシーサーバーの設定を受け付ける。これに対して整形形式のメニューＭ２２３が選択されると、ウェブコンバータは、メールコンバータについて上述したと同様にして整形のウインドウを表示し、ユーザーによる設定を受け付ける。なおこの設定には、テキストデータだけを生成する処理、イメージデータも併せてビットマップデータ化するか否かの処理等を選択できるようになされている。
【０１２１】
これに対してウェブコンバータは、メイン画面において（図２１）、操作のメニーＭ２１３が選択されると、図２４に示すように、更新、整形、削除のメニューＭ２４１〜Ｍ２４３を表示し、ここで更新のメニューＭ２４１が選択されると一括、このサイトで全て更新、このページのみメニューＭ２４４〜Ｍ２４６を表示する。ここで、一括のメニューＭ２４４が選択されると、又はメイン画面において取得のアイコンＩ２１１が選択されると、上述した設定に従ってサイトを巡回して所望のページをダウンロードする。
【０１２２】
またサイトを指定した更新のメニューＭ２４５の選択により、指定されたサイトを巡回して設定されたページをダウンロードし、さらにはページを指定したページのみ更新のメニューＭ２４６の選択により、指定されたページをダウンロードして更新する。なおこれらのダウンロードした内容は、設定の画面により設定されたブラウザソフトのフォルダに保持される。
【０１２３】
これに対して整形のメニューＭ２４２が選択されると、一括整形、追加、削除等のメニューを表示する。ここで一括整形のメニューが選択されると、ウェブコンバータは、このようにして取得してブラウザのフォルダに保持してなるファイルをユーザーの設定に従ってテキストデータ、ビットマップデータに変換する。またダウンロード結果の表示領域ＡＲ２１におけるにおいて、ユーザーが何れかのダウンロード結果を選択して追加のメニューを選択すると、この選択されたダウンロード結果をテキストデータ、ビットマップデータに変換する。これに対してユーザーが何れかのダウンロード結果を選択して削除のメニューを選択すると、このダウンロード結果より生成したテキストデータ、ビットマップデータを削除する。またダウンロード結果をダブルクリックすると、ブラウザを立ち上げて、このダウンロード結果を表示する。
【０１２４】
このようにしてダウンロード結果をテキストデータ、ビットマップデータに変換するにつき、ウェブコンバータは、メールコンバータについて上述したと同様にしてこれらダウンロード結果を変換する。このときウェブコンバータは、インフォメーションマネージャのフォルダの真下に設定されたウェブのフォルダにテキストデータ、ビットマップデータを保存する。
【０１２５】
このときダウンロード結果が階層的に構成されている場合、この階層に対応するようにフォルダを作成してテキストデータ、ビットマップデータを保存する。また１つのページに複数のイメージデータが割り当てられている場合、各イメージデータをそれぞれビットマップデータに変換し、テキストの部分についてはまとめてテキストデータに変換する。また１つのページが複数のフレームにより構成されている場合、この１つのページについてフォルダを作成し、各フレーム毎に、テキストデータ化、ビットマップデータ化の処理を実行する。さらにこのようにして変換して生成したテキストデータについては、ＵＲＬによりファイル名を設定し、ビットマップデータについては、元のイメージデータに割り当てられてなるファイル名をそのまま使用する。
【０１２６】
さらに１つのページに対して１つのフォルダを作成してテキストデータ、ビットマップデータを保存し、下位階層のページについては、さらにフォルダを作成してテキストデータ、ビットマップデータを保存する。
【０１２７】
これらによりウェブコンバータは、ブラウザソフトによるフォルダの内容には何ら変化を与えことなく、すなわちインターネットをアクセスして取得したダウンロード結果をブラウザソフトによるフォルダに保持したまま、このダウンロード結果を携帯端末４にダウンロード可能なフォーマットに変換するようになされている。
【０１２８】
なおウェブコンバータは、イメージデータをビットマップデータに変換する場合、イメージコンバータにイメージデータを渡して処理するようになされ、これによりビットマップデータ化する際の設定については、イメージコンバータに設定された条件により処理するようになされている。
【０１２９】
（１−２−７）インフォメーションマネージャ
図２５は、インフォメーションマネージャの起動により表示されるメイン画面を示す平面図である。インフォメーションマネージャは、スタートメニューからの起動により、またはタイムキーパーの指示により起動し、スタートメニューからの起動による場合にこのメイン画面を液晶ディスプレイ５６に表示する。
【０１３０】
このメイン画面においては、最上段の左側にインフォメーションマネージャを示すシンボルＳ２５１、記述Ｋ２５１が表示され、右側に、表示を最小化するボタンＢ２５１、表示を最大化するボタンＢ２５２、インフォメーションマネージャーを閉じるボタンＢ２５３が表示される。さらにウインドウにおいては、続いてファイル（Ｆ）、編集（Ｄ）、表示（Ｖ）、転送（Ｓ）、設定（Ｃ）、ヘルプ（Ｈ）のメニューＭ２５１〜Ｍ２５６が表示される。続いてウェブコンバータ、メールコンバータ、アドレススケジュールコンバータ、クリップフォルダ、イメージコンバータ、マップコンバータ、タイムキーパーのアイコンＩ２５１〜Ｉ２５７が表示される。インフォメーションマネージャは、これらウェブコンバータ等のアイコンＩ２５１〜Ｉ２５７がユーザーにより選択されると、それぞれ対応するアプリケーションプログラムを起動する。
【０１３１】
さらにこのメイン画面においては、携帯端末４にダウンロードした場合のメモリ残量が表示され、続いてフォルダの表示領域ＡＲ８が配置される。ここでインフォメーションマネージャは、この表示領域ＡＲ８に、設定のメニューにより設定された転送元のフォルダ、ファイルをツリー構成により表示する。なおこの転送元のフォルダは、イメージコンバータ等について上述したテキストデータ、ビットマップデータの保存先のフォルダである。
【０１３２】
さらにメイン画面においては、この表示領域ＡＲ８の下にプレビュー領域ＡＲ９が形成され、表示領域ＡＲ８で選択されたファイルの内容を表示できるようになされている。さらにメイン画面は、携帯端末４側の表示領域ＡＲ１０が形成され、この携帯端末４側の表示領域ＡＲ１０に携帯端末４を正面から見た画像の表示と、この画像の中に携帯端末４に保持されたデータのツリー構造による表示とが形成されるようになされている。メイン画面は、この表示領域ＡＲ１０の表示領域ＡＲ８側に、表示領域ＡＲ８から表示領域ＡＲ１０に向かう矢印とＹ１、これとは逆に表示領域ＡＲ１０から表示領域ＡＲ８に向かう矢印Ｙ２とが表示される。
【０１３３】
インフォメーションマネージャは、携帯端末４にテキストデータ等をダウンロードしている期間の間、図２６に示すように、この表示領域ＡＲ８から表示領域ＡＲ１０に向かう矢印Ｙ１の中に明るい縦縞の帯を表示し、この帯を表示領域ＡＲ８から表示領域ＡＲ１０に向けて移動させる。またこれとは逆に、携帯端末４よりテキストデータ等をアップロードしている期間の間、図２７に示すように、表示領域ＡＲ１０から表示領域ＡＲ８に向かう矢印Ｙ２の中に明るい縦縞の帯を表示し、この帯を表示領域ＡＲ１０から表示領域ＡＲ８に向かって移動させる。これによりインフォメーションマネージャは、携帯端末４に対するアップロード、ダウンロードを視覚的に認識させることができるようになされている。
【０１３４】
なお携帯端末４よりデータをアップロードする場合、転送元、ダウンロード先が逆転するが、インフォメーションマネージャは、この場合表示領域ＡＲ８〜１１０をダウンロード時と同様にそれぞれパーソナルコンピュータ３側、携帯端末４側に設定して対応するファイル名等を表示する。
【０１３５】
かくするにつきインフォメーションマネージャは、スタートメニューの操作により立ち上げられると、イメージコンバータ等について上述したテキストデータ、ビットマップデータの保存先のフォルダをアクセスし、これらフォルダに保存されたファイルを表示領域ＡＲ８に表示する。この状態でユーザーにより設定（Ｐ）のメニューＭ２５６が選択されると、ダウンロードに関する設定メニューを表示してユーザーによる操作を受け付ける。
【０１３６】
さらに転送（Ｓ）のメニューＭ２５５が選択されると、一括送信、ファイルの送信、一括受信、ファイルの受信のメニューを表示する。さらにこのうちの一括送信のメニューが選択されると、上述したイメージコンバータ等により作成されたテキストデータ、ビットマップデータについて、保存先であるインフォメーションマネージャの真下のフォルダに保持された全てのファイルを携帯端末４にまとめて転送する。なおこの転送は、ＵＳＢ端子４９に携帯端末４を接続した状態で実行され、上述の設定により、このような接続がなされていない場合には警告が発生するようになされている。
【０１３７】
これに対して転送元側の表示領域ＡＲ８において、ユーザーがファイル名の表示をダブルクリックすると、このファイルの内容をビュアーの領域ＡＲ９に表示する。またユーザーがファイルを指定した後、転送のメニューＭ２５５を選択して個々のファイルの送信を指示すると、このファイルを携帯端末４にダウンロードする。また同様に、ユーザーが転送元側の表示領域ＡＲ８でファイルを掴んで、携帯端末４側の表示領域にドロップすると、このファイルを携帯端末４にダウンロードする。さらにこれらのダウンロードに伴い、携帯端末４に保持されたデータが更新されると、携帯端末４側の表示領域ＡＲ１０の内容を更新する。
【０１３８】
また転送元側の表示領域ＡＲ８内において、ユーザーがファイル名の表示、フォルダの表示を掴んで移動させると、この移動に応動するようにフォルダの構造を変更する。またファイル名の表示、フォルダの表示を選択して編集（Ｄ）のメニューＭ２５２よりファイルの削除を指示すると、このファイルを削除する。これらの処理においてインフォメーションマネージャは、ユーザーにより選択されたファイルに制御用のファイルが付加されている場合、この制御用のファイルにより関連あるファイル（例えば電子メールのテキストデータにあっては、テキストデータ化、ビットマップデータ化した添付ファイルである）が存在することをユーザーに警告し、このユーザーの確認により削除し、また関連あるファイルと共にユーザーの所望するフォルダに移動させる。
【０１３９】
これによりインフォメーションマネージャは、関連あるファイルがバラバラにならないようにし、ユーザーの使い勝手を向上するようになされている。
【０１４０】
これとは逆に、転送（Ｓ）のメニューＭ２５５から一括受信のメニューが選択されると、インフォメーションマネージャは、携帯端末４に保持されたファイルを全てアップロードする。また送信時と同様の個別の操作によっても、携帯端末４に保持されたファイルをアップロードし、これらの処理に応動して表示領域ＡＲ８の内容を更新し、さらにはユーザーの操作に応動して表示領域ＡＲ８に保持されたファイルを変更するようになされている。
【０１４１】
なおインフォメーションマネージャは、携帯端末４との間でダウンロード、アアップロードの処理を実行する場合、ＵＳＢ端子を介して接続されてなる携帯端末４の動作を遠隔制御してこれらの処理を実行する。
【０１４２】
（１−２−７）タイムキーパー
タイムキーパーは、インストール時の設定等により、このパーソナルコンピュータ３でオペレーションシステムが立ち上がる際に起動して常駐する。図２８は、このタイムキーパーの設定画面であり、インフォメーションマネージャに配置されたタイムキーパーのアイコンの操作により表示される。
【０１４３】
この設定画面においては、最上段の左側にタイムキーパーの設定画面であることを示す記述Ｋ２８１が表示され、その下側に、開始のボタンＢ２８１、即時実行（Ｒ）のボタンＢ２８２が表示される。さらに設定画面は、タブによりアプリケーション／時間設定のメニュー画面Ｍ２８１、ネット設定のメニュー画面Ｍ２８２が表示される。
【０１４４】
ここでアプリケーション／時間設定のメニュー画面Ｍ２８１においては、自動運転に係るアプリケーションを指定するメール、ウェブ、アドレス／スケジュールの項目Ｋ２８１〜Ｋ２８３がチェックボックスＣ２８１〜Ｃ２８３と共に表示される。タイムキーパーは、このチェックボックスＣ２８１〜Ｃ２８３の設定によりメールコンバータ、ウェブコンバータ、アドレススケジュールコンバータを立ち上げて電子メール等を携帯端末４にダウンロード可能なフォーマットに変換する。
【０１４５】
またアプリケーション／時間設定のメニュー画面Ｍ２８１においては、フォーマット変換したデータを携帯端末４にダウンロードするか否かのオプションボタンＢ２８４が配置され、これらの処理を実行する開始時間、接続時間を入力するテキストボックスＴ２８１が形成される。さらにアプリケーション／時間設定のメニュー画面においては、これらの設定を確定するＯＫのボタンＢ２８５、設定をキャンセルするキャンセルのボタンＢ２８６が配置される。
【０１４６】
これに対してネット設定のメニュー画面Ｍ２８２では、ダイアルアップ等の設定メニューが表示される。
【０１４７】
タイムキーパーは、このアプリケーション／時間設定のメニュー画面Ｍ２８１において、ユーザーが即時実行のボタンＢ２８２を操作すると、このメニュー画面Ｍ２８１で設定に応じてウェブコンバータ等を順次起動してテキストデータ等を取得し、またメニュー画面の設定Ｍ２８１に応じて取得したデータを携帯端末４にダウンロードする。これに対してこのアプリケーション／時間設定のメニュー画面Ｍ２８１において、ユーザーが開始のボタンＢ２８１を操作すると、タイマーにより時間計測し、処理の開始時刻になると、ネットワークに接続してこのメニュー画面Ｍ２８１の設定に応じてウェブコンバータ等を順次起動してテキストデータ等を取得し、またメニュー画面Ｍ２８１の設定に応じて取得したデータを携帯端末４にダウンロードする。なおこれらダウンロードの処理はインフォメーションマネージャを起動してバックグラウンドにより処理することにより実行される。
【０１４８】
これらによりタイムキーパーにおいては、パーソナルコンピュータ３に携帯端末４に接続して放置するだけで、電子メール等の必要な情報を携帯端末４に自動的にダウンロードできるようになされている。
【０１４９】
（１−３）携帯端末の構成
（１−３−１）携帯端末の機構
図２９は、携帯端末４を示す斜視図である。携帯端末４は、平板形状により構成され、表面に液晶表示パネルによる表示部６１が形成される。さらに携帯端末４は、この表示部６１を表面にして左手により持ちたるときに、左手の親指の当たる側面の部位にジョグダイヤル６２が配置される。ここでこのジョグダイヤル６２は、矢印Ｒに示すように回転操作できるように構成され、さらに矢印Ｒにより示すように押圧操作できるようになされている。
【０１５０】
さらに携帯端末４は、このジョグダイヤル６２の手前側にスライドスイッチによる電源スイッチ６３が配置される。またこのジョグダイヤル６２とは逆側の側面に、ＵＳＢの端子が配置される。また矢印ａにより上方より見た斜視図を示すように、上端面には、押圧操作にかかる戻るの操作子６４、メニューの操作子６５、ライトの操作子６６が配置されるようになされている。
【０１５１】
このような構成に係る携帯端末４は、全体の大きさに比して表示部６１が大画面により構成され、この表示部６１の外側である長手方向の両縁部が盛り上がるように構成される。これにより携帯端末４は、この両縁部の盛り上がりにより、例えば落下等による表示部６１の損傷を有効に回避できるようになされている。
【０１５２】
また携帯端末４は、全体として薄型に構成され、図３０に示すような内部構成により強度を確保できるようになされている。すなわち図３０は、携帯端末４を示す分解斜視図である。携帯端末４は、平板形状のモジュール７１を挟み込むように、モジュール７１を上側ケース７２及び下側ケース７３に収納して構成される。
【０１５３】
ここで上側ケース７２は、表示部６１に開口を有する枠形状により構成される。さらに図３１に示すように、上側ケース本体７２Ｍの長手方向の両縁部を補強部材７２Ａ及び７２Ｂにより補強して構成される。すなわち上側ケース本体７２Ｍは、薄板のアルミニユウム材を枠形状に加工して作成される。補強部材７２Ａ及び７２Ｂは、それぞれ上側ケース本体７２Ｍの表示部６１側の面と長手方向の側面とを覆うように、さらに各側面と直交する短辺側の一部をコの字状に囲むように、樹脂を射出整形して構成される。
【０１５４】
上側ケース７２は、この補強部材７２Ａ及び７２Ｂの配置により、図３２に断面を取って示すように、表示部６１側、両縁部の盛り上がりが構成される。上側ケース７２は、この盛り上がる部位の根元の部分にあっては、上側ケース本体７２Ｍが盛り上がり、盛り上がりの途中から樹脂による補強部材７２Ａ及び７２Ｂが表示部６１側より見て取られるようになされている。上側ケース７２は、この上側ケース本体７２Ｍによる盛り上がりと、補強部材７２Ａ及び７２Ｂとにより盛り上がりとが滑らかに接続して一体感を生むように構成される。なお上側ケース７２は、上下の端面についても補強部材７２Ａ及び７２Ｂと上側ケース本体７２Ｍとが平坦な外形面を構成するように形成され、これによっても一体感を生むようになされている。
【０１５５】
上側ケース本体７２Ｍは、ジョグダイヤル６２が配置される側が、表示部６１の開口により幅が多く取り残されように構成され、これに対応してこのジョグダイヤル６２側の補強する補強部材７２Ｂの方が、補強部材７２Ａに比して幅広に形成される。上側ケース本体７２Ｍは、この幅広い側の補強部材７２Ｂと対向する表示部６１側の面において、ほぼ中央の部位と、両縁部の部位にそれぞれ貫通孔７２Ｃが配置される。補強部材７２Ｂは、これら貫通孔７２Ｃに対応する部位に円柱形状の突起７２Ｄが形成される。
【０１５６】
上側ケース７２は、補強部材７２Ｂと対向する上側ケース本体７２Ｍの表示部６１側の面に、接着用の部材である両面テープ８０が貼り付けられた後、矢印ｂにより示すように、貫通孔７２Ｃに対応する突起７２Ｄを挿入して両面テープ８０により上側ケース本体７２Ｍに補強部材７２Ｂを保持した後、この突起７２Ｄの頭を潰して上側ケース本体７２Ｍと補強部材７２Ｂとが一体化される。なお突起７２Ｄの頭を潰す処理は、加熱処理、超音波による処理等により実行される。これにより携帯端末４においては、経時変化により、上側ケース本体７２Ｍから補強部材７２Ｂが浮き上がる等の損傷を防止できるようになされている。
【０１５７】
すなわちモールド品に金属プレート等を配置する場合には、一般的に、両面テープ等により金属プレートをモールド品に保持する。これに対してこの実施の形態においては、金属の比較的長い辺に樹脂材を当接させてコの字状に囲む場合であることにより、樹脂材である補強部材７２Ｂを両面テープにより上側ケース本体７２Ｍに配置したのでは、図３３に示すように、温度サイクル試験により上側ケース本体７２Ｍから補強部材７２Ｂが浮き上がるようになる。なお図３３に示す例では、両端部が浮き上がった例ではあるが、この種の浮き上がりは一方の端部だけ浮き上がる場合もある。これは金属と樹脂との線膨張係数の相違により発生するものである。特に、この実施の形態のように補強部材７２Ｂが細長い部材にあっては、両面テープを十分な幅により貼り付けることが困難で、これによっても浮き上がりを防止することが困難なことが判った。なお、このように補強部材７２Ａが浮き上がると、その分ケースの強度が低下することになる。
【０１５８】
このような両面テープによる保持に代えて、突起だけで保持する場合も考えられるが、この場合は、突起の数を著しく増大させなければ十分な強度により保持することが困難で、突起の数が少ない場合には、結局、補強部材７２Ｂが浮き上がってしまう。
【０１５９】
ところがこの実施の形態のように、両面テープと突起とを併用すると、突起７２Ｄの数をそれ程増大させることなく、また両面テープによる接着の面積が小さい場合でも、十分な強度により補強部材７２Ｂを保持して、浮き上がりを防止することができた。
【０１６０】
これに対して幅の狭い側である補強部材７２Ａ側において、上側ケース本体７２Ｍは、補強部材７２Ａと対向する側面側の面において、ほぼ中央の部位と、両縁部の部位にそれぞれ貫通孔７２Ｅが形成される。補強部材７２Ａは、これら貫通孔７２Ｅに対応する部位に円柱形状の突起７２Ｆが形成される。
【０１６１】
上側ケース７２は、補強部材７２Ａと対向する上側ケース本体７２Ｍの側面側の面に、両面テープ８１が貼り付けられた後、矢印ｃにより示すように、貫通孔７２Ｅに対応する突起７２Ｆを挿入して両面テープ８１により上側ケース本体７２Ｍに補強部材７２Ａを保持した後、この突起７２Ｆの頭を潰して上側ケース本体７２Ｍと補強部材７２Ａとが一体化される。これにより携帯端末４においては、この幅の狭い側の補強部材７２Ａについても、突起７２Ｆと両面テープ８１との併用により、上側ケース本体７２Ｍから補強部材７２Ａが浮き上がる等の損傷を防止するようになされている。
【０１６２】
さらに上側ケース本体７２Ｍは、下側ケース７３側に延長するように、側面側に突起７２Ｇが形成され、この突起７２Ｇに貫通穴が形成されるようになされている。
【０１６３】
これに対してモジュール７１は、図３４に示すように、ＥＬ（ElectrLuminescence）によるバックライトを背面に保持した液晶表示パネル８４の背面に、金属板材８５、絶縁シート８６、配線基板８７を順次配置して構成される。ここで金属板材８５は、薄板の金属材料により構成され、液晶表示パネル８４とほぼ同じ大きさにより構成される。金属板材８５は、対角線方向に所定幅による絞り加工が施され、これにより強度が補強されるようになされている。さらに金属板材８５は、両面テープにより液晶表示パネル８４に密着して保持される。これによりこの携帯端末４においては、液晶表示パネル８４を金属板材８５により補強するようになされている。
【０１６４】
すなわちこの実施の形態に係る携帯端末４においては、ケース上面に液晶表示パネル８４が露出することにより、また全体として薄板形状に構成されることにより、液晶表示パネル８４に種々の応力が加わることが予想される。このためこの携帯端末４においては、液晶表示パネル８４の強度を金属板材８５により補強して、薄型、小型に形成しても、落下衝撃、ねじり、曲げ等に対して十分な強度を確保できるようになされている。なおこのように液晶表示パネル８４を露出させても十分な強度を確保できることにより、携帯端末４においては、液晶表示パネルを保護する蓋を省略して、その分全体形状を小型化することができる。
【０１６５】
金属板材８５は、さらに図３７を用いて上側ケース７２について上述した突起７２Ｇの貫通穴に対応する箇所に、下側ケース７３側に延長するように突起８５Ａが形成され、これら突起８５Ａにねじ穴が形成されるようになされている。
【０１６６】
さらに金属板材８５は、この突起８５Ａとは逆側に立ち上がるように、周辺に突起８５Ｂが形成され、モジュール化して上側ケース７２等に収納した際に、この突起８５Ｂが上側ケース７２の内側に突き当たるようになされている。これによっても携帯端末４は、曲げ、ねじれ等に対する強度を確保できるようになされている。
【０１６７】
さらにモジュール７１は、この金属板材８５の液晶表示パネル８４とは逆側の面にＰＥＴ材による絶縁シート８６が両面テープにより保持される。さらに続いて矢印ｃにより示すように、配線基板８７に形成された貫通穴に挿入されるネジにより絶縁シート８６を間に挟んで配線基板８７が金属板材８５に保持される。ここでこの配線基板８７は、パーソナルコンピュータ３より種々のデータをダウンロードする回路、このダウンロードした種々のデータにより液晶表示パネル８４を駆動する駆動回路等が搭載される。携帯端末４においては、このように金属板材８５にさらに配線基板８７を密着して保持することにより、一段と強度を向上するようになされている。
【０１６８】
配線基板８７において、このネジを挿入する貫通穴の周囲は、絶縁シート８６によっては金属板材８５と絶縁されないように構成され、さらにこのように絶縁シート８６によっては絶縁されない部位に、アースラインが露出して保持されるようになされている。これにより携帯端末４においては、液晶表示パネル８４、配線基板８７に沿うように配置してなる金属板材８５を接地し、静電破壊に対する強度を向上し、さらには不要輻射を低減するようになされている。
【０１６９】
なお配線基板８７は、この金属板材８５側とは逆側の面が部品実装面とされ、表面実装により種々の部品が搭載され、これにより金属板材８５側においては、ほぼ平坦な面となるようになされている。
【０１７０】
配線基板８７は、図面にて右側の側面側より液晶表示パネル８４のバックライトを駆動するための配線が液晶表示パネル８４に接続され、図面にて左側の側面に、液晶表示パネル８４自体を駆動するフレキシブル配線基板が接続され配線基板８７に接続されるようになされている。また配線基板８７は、駆動用電池の端子、図２９について上述した各種スイッチの本体、ジョグダイヤル等が実装され、携帯端末４においては、動作上必要な電子部品の全てがこのモジュール７１に一体化されるようになされている。これにより携帯端末４においては、金属板材８５を介して液晶表示パネル８４、配線基板８７を配置して単に強度を向上するだけでなく、このモジュール単体で簡易かつ確実に動作確認できるようになされ、その分生産性を向上できるようになされている。またケースへの組み込み作業も簡略化でき、生産性を向上できるようになされている。
【０１７１】
これに対して下側ケース７３は（図３０）、樹脂を射出成形して形成され、上側ケース７２と共にモジュールを収納するようになされている。下側ケース７３は、金属板材８５のねじ穴８５Ｇに対応する部位に、貫通穴７３Ａが形成される。これにより携帯端末４は、図３０において矢印ｄにより示すように、ねじにより側方から下側ケース７３、上側ケース７２、金属板材８５を共じめできるようになされている。
【０１７２】
携帯端末４においては、このように側方よりねじ留めすることにより、液晶表示パネル８４とほぼ同等の外形形状により構成してその分全体形状を小型化できるようになされている。すなわちこのようなねじ留めの方法として、裏側又は表面側よりねじ留めする方法も考えられるが、この方法の場合、ねじ留めする分、液晶表示パネルの外形形状に比してケースの外形形状を大きくする必要がある。しかしながらこのように側方よりねじ留めする場合には、このような余分を設ける必要がなく、その分全体形状を小型化することができる。
【０１７３】
また共じめとしたことにより、その分簡易な構成で、かつ簡易な作業により組み立てることができるようになされている。
【０１７４】
図３２に示すように、携帯端末４においては、上側ケース７２、金属板材８５かた下側ケース７３側に突起７２Ｇ、８５Ａを形成し、この突起７２Ｇ、８５Ａにねじ留め用の貫通穴、ねじ穴を形成したことにより、このねじ留め用のねじ８９は、配線基板８７側にて金属板材８５より内側に飛び出すことになる。かくするにつき配線基板８７においては、このように飛び出すねじ８９を避けるように、切り欠き等が作成され、さらに種々の部品が搭載されるようになされ、携帯端末４においては、このように部品実装した配線基板８７全体の厚さにより、ねじ留めする厚み方向の余裕を確保するようになされている。これにより携帯端末４においては、全体形状を薄型化できるようになされている。
【０１７５】
（１−３−２）携帯端末の回路構成
図３５は、携帯端末４の構成を示すブロック図である。携帯端末４において、ＵＳＢコントローラ９１は、中央処理ユニット（ＣＰＵ）９２の制御によりＵＳＢ端子９３に接続された機器との間で各種のデータを送受することにより、パーソナルコンピュータ３よりダウンロードされるテキストデータ、ビットマップデータを受信し、またこれとは逆にパーソナルコンピュータ３にアップロードするデータを送信する。
【０１７６】
ＬＣＤコントローラ９４は、ＶＲＡＭを内蔵し、このＶＲＡＭの内容により液晶表示パネル８４を駆動して所望の画像等を表示する。駆動回路９５は、中央処理ユニット９２の制御によりＥＬを駆動し、これによりユーザーによりライトの操作子６６が操作されると、液晶表示パネル８４を照明する。フラッシュメモリ９６は、中央処理ユニット９２の動作に必要な各種プログラム、パーソナルコンピュータ３よりダウンロードされたデータを保持する。
【０１７７】
中央処理ユニット９２は、このフラッシュメモリ９６に保持された処理手順に従って、パーソナルコンピュータ３との間でテキストデータ等をダウンロード、アップロードし、さらには操作子６３〜６６、ジョグダイヤル６２の操作に応動してパーソナルコンピュータ３からダウンロードしたデータを表示する。
【０１７８】
すなわち中央処理ユニット９２は、この携帯端末４がパーソナルコンピュータ３に接続された状態で、パーソナルコンピュータ３の制御によりパーソナルコンピュータ３より送信される各種データをフラッシュメモリ９６に記録し、これによりパーソナルコンピュータ３より送信されたデータをダウンロードする。また同様に、パーソナルコンピュータ３の制御によりフラッシュメモリ９６に保持したデータをパーソナルコンピュータ３に送信し、これにより保持したデータをパーソナルコンピュータ３にアップロードする。
【０１７９】
（１−３−３）中央処理ユニットの処理
図３６は、携帯端末４のメインの表示画面を示す平面図である。中央処理ユニット９２は、表示画面の上部を横線により区切ってインデックスの表示領域ＡＲＡを形成する。また表示画面の下側に、選択された項目の表示領域ＡＲＢを形成し、これら表示領域ＡＲＡ及びＡＲＢに囲まれた領域を主の表示領域ＡＲＭに設定する。また図３７に示すように、後述する設定の操作によりユーザーがプレビューを選択すると、主の表示領域ＡＲＭを縮小して項目の表示領域ＡＲＢの下にブレビューの表示領域ＡＲＣを作成する。
【０１８０】
このインデックスの表示領域ＡＲＡにおいては、後述する各表示画面で共通に表示され、中央処理ユニット９２は、メインの表示画面では、左端にシステムの名称Ｋ３６１、右側に、電池のマークＭ３６１を表示する。中央処理ユニット９２は、この電池のマークＭ３６１における黒色表示の面積を電池の残量に応じて可変する。これにより中央処理ユニット９２は、ユーザーに電池の残量を告知するようになされている。
【０１８１】
これに対して他の表示画面において、中央処理ユニット９２は、システム名称Ｋ３６１に代えて、カレントのフォルダ名又はファイル名を表示する。またファイルの内容を表示する場合には、電池のマークＭ３６１に代えて表示位置の位置を示す図形を表示する。すなわちテキストのファイルについては、符号（ｍ）により示すように、表示位置／全体の定数により表示位置（表示画面における最先頭行の位置である）を表示する。またイメージのファイルについては、符号（ｎ）により示すように、矩形形状の領域に黒色のマークを表示し、この黒色マークの表示位置により全体に対する現在表示している部分を表示する。なおこの符号（ｎ）による場合は、主の表示領域ＡＲＭに表示されている部分が、イメージ全体の右上の部分を示していることになる。
【０１８２】
さらに中央処理ユニット９２は、この電池のマークの右側に、ジョグダイヤル６２により操作可能な方向を示すマークＭ３６２を表示する。ここでこのマークＭ３６２は、ジョグダイヤル６２の操作により行単位でカーソル、表示画面を移動させる場合には、符号（ａ）〜（ｃ）により示すようにその移動可能な方向を矢印の向きにより示すものである。ちなみに符号（ａ）の場合、カーソルが最上段に位置する場合、または最上段にまで表示画面をスクロールさせた場合であり、矢印により下方向にのみカーソルを移動させ、さらにはカーソルを下方向に移動させる場合と同様に表示画面をスクロールさせることが可能なことを示すものである。また符号（ｃ）の場合、カーソルが最下段に位置する場合、または最下段にまで表示画面をスクロールさせた場合であり、矢印により上方向にのみカーソルを移動させ、さらにはカーソルを上方向に移動させる場合と同様に表示画面をスクロールさせることが可能なことを示すものである。また符号（ｂ）の場合、上方向にも、下方向にも、カーソル、スクロール可能なことを示すものである。
【０１８３】
これにより中央処理ユニット９２は、ユーザーによる使い勝手を向上できるようになされている。なおこのジョグダイヤル６２により操作可能な方向を示す矢印の表示は、後述する各表示画面において、共通に表示され、これによっても使い勝手を向上できるようになされている。ちなみに、行単位のスクロール、カーソル移動に代えて、半ページ分の行数、各ファイル等を単位にしたページスクロールの場合、中央処理ユニット９２は、この矢印による表示をそれぞれ符号（ａ）〜（ｃ）に対応する符号（ｄ）〜（ｆ）による表示に切り換え、これによりページスクロールであることをユーザーに知らせるようになされている。またイメージデータの表示における横方向のスクロールにおいては、符号（ａ）〜（ｆ）に対応してそれぞれ符号（ｇ）〜（ｌ）により示すように、符号の表示方向を横方向に切り換えて表示し、これによっても使い勝手を向上するようになされている。
【０１８４】
これに対して項目の表示領域ＡＲＢにおいて、中央処理ユニット９２は、カーソルにより選択された項目を表示する。すなわち主の表示領域ＡＲＭにおいて選択可能な項目を表示する場合、中央処理ユニット９２は、１行の表示を反転表示してカーソルＫを示し（図３６においては、ｓｙｓｔｅｍの表示）、ジョグダイヤル６２の操作によりこのカーソルＫの位置を移動させる。中央処理ユニット９２においては、これにより図３６においては、この表示領域ＡＲＢにｓｙｓｔｅｍを表示する。なお中央処理ユニット９２は、主の表示領域ＡＲＭにファイルの内容を表示している場合には、表示領域ＡＲＢの表示を中止し、この表示領域ＡＲＢを主の表示領域ＡＲＭに割り当てる。この表示領域ＡＲＢの表示において、中央処理ユニット９２は、主の表示領域ＡＲＭにおいて選択可能な項目について、この項目に付加された記号も併せて表示し、これよってもユーザーの使い勝手を向上できるようになされている。
【０１８５】
これに対してプレビューの表示領域ＡＲＣについて、中央処理ユニット９２は、主の表示領域ＡＲＭにおいてファイルが選択された場合にのみ、この表示領域を形成し、この表示領域ＡＲＭに選択されたファイルの内容を部分的にプレビューする。これにより中央処理ユニット９２は、所望のファイルを迅速かつ確実に選択できるようになされている。
【０１８６】
中央処理ユニット９２は、主の表示領域ＡＲＭにこの携帯端末４の操作に必要な各種項目、ダウンロードしたファイル等をツリー構造により表示する。このとき中央処理ユニット９２は、インフォメーションマネージャによりダウンロードした際の階層構造によりフォルダを表示する。ここで図３６に示す表示画面において各項目の先頭に割り当てられた記号のうち、矩形の枠で囲った＋の記号Ｋ３６５は、下位装置にフォルダ、ファイルが存在することを示す記号であり、これによりユーザーによるファイル検索の作業を簡略化できるようになされている。
【０１８７】
さらに中央処理ユニット９２は、この携帯端末４についての各種設定等の項目を仮想的なフォルダとして取り扱い、ファイルのツリー構造と同時に表示する。なおこのような項目にあっては、この携帯端末４のユーザーについての個人情報等を保持するｓｙｓｔｅｍの項目、表示したファイル名を記録した表示履歴の項目、ユーザーによりマーキングされた各ファイルをまとめた仮想的なフォルダである星マークの項目、ハートマークの項目、レ点マークの項目、種々の項目を設定する設定／情報の項目が設けられるようになされている。
【０１８８】
中央処理ユニット９２は、これらの項目については、下位階層の項目が存在する場合、本来のダウンロードしたファイルとが異なって、菱形形状の枠で囲った＋の記号Ｋ３６２を先頭に配置し、これによりユーザーにより簡易に識別できるようになされている。なおこの場合、ｓｙｓｔｅｍの項目にあっては、本来のダウンロードしたファイルと同一の記号が割り当てられる。
【０１８９】
（１−３−４）ツリー構造の閲覧
中央処理ユニット９２は、ジョグダイヤル６２の操作に応動してこのツリー構造による表示の上でカーソルを移動し、また後述するように表示画面をスクロールさせる。さらにジョグダイヤル６２が押圧操作されると、カーソルにより選択されたフォルダについて、下位階層のフォルダ、当該フォルダに属するファイル名を表示する。またこれとは逆に、戻るの操作子６４が操作されるとジョグダイヤル６２が押圧操作された場合とは逆に表示を切り換える。これにより中央処理ユニット９２は、このように階層構造によるフォルダを順次辿って所望のファイル名をカーソルにより選択できるようになされている。
【０１９０】
なお下位階層のフォルダを表示した状態で、この下位階層のフォルダのカレントフォルダと同じ階層のフォルダがユーザーにより選択されてジョグダイヤル６２が押圧操作された場合、中央処理ユニット９２は、戻るの操作子６４が一旦操作されて所望のフォルダがジョグダイヤル６２により選択された場合と同様に、ジョグダイヤル６２の押圧操作により選択されたフォルダについて下位階層を表示すると共に、それまで表示していた下位階層のツリー表示を中止する。
【０１９１】
中央処理ユニット９２は、このようなフォルダの閲覧により、ユーザーがファイル名を選択してジョグダイヤル６２を押圧操作すると、このファイルの内容を主の表示領域ＡＲＭに表示する。
【０１９２】
このようなフォルダの閲覧において、最下位層においてユーザーがジョグダイヤル６２を押圧操作すると、中央処理ユニット９２は、戻るの操作子６４が操作された場合と同様に、上位階層側に表示を切り換える。またサブディレクトリーであるフォルダを表示した状態で、このフォルダのカレントフォルダを選択してジョグダイヤル６２が押圧操作された場合についても、戻るの操作子６４が操作された場合と同様に、上位階層側に表示を切り換える。
【０１９３】
すなわち図３８は、この階層の閲覧に関する中央処理ユニット９２の処理手順を示すフローチャートである。中央処理ユニット９２は、ステップＳＰ３１からステップＳＰ３２に移り、ここでジョグダイヤル６２が押圧操作されたか否か判断し、否定結果が得られると、ステップＳＰ３３に移る。ここで中央処理ユニット９２は、戻るの操作子６４が押圧操作されたか否か判断し、否定結果が得られると、ステップＳＰ３２に戻る。これにより中央処理ユニット９２は、ステップＳＰ３２、ＳＰ３３の処理手順を繰り返し、ジョグダイヤル６２の操作、戻るの操作子６４の操作を待機する。
【０１９４】
ここで中央処理ユニット９２は、ジョグダイヤル６２が押圧操作されると、ステップＳＰ３２からステップＳＰ３４に移り、ユーザーにより選択された項目にさらに表示可能な下位階層が存在するか否か判断し、さらに下位階層を表示可能な場合、ステップＳＰ３４からステップＳＰ３５に移る。ここで中央処理ユニット９２は、主の表示領域ＡＲＭにおける表示に下位階層のツリー構造を表示した後、ステップＳＰ３２に戻る。
【０１９５】
これに対してユーザーにより選択された項目に、現在表示している以上に表示可能な下位階層が存在しない場合、ステップＳＰ３４において否定結果が得られることにより、中央処理ユニット９２は、ステップＳＰ３４からステップＳＰ３６に移る。ここで中央処理ユニット９２は、上位階層に表示を切り換え、ステップＳＰ３２に戻る。
【０１９６】
これに対してユーザーにより戻るの操作子６４が操作され場合、中央処理ユニット９２は、ステップＳＰ３３からステップＳＰ３６に移り、ここで上位階層に表示を切り換え、ステップＳＰ３２に戻る。これにより中央処理ユニット９２は、最下位層でジョグダイヤル６２が押圧操作された場合には、戻るの操作子６４が操作された場合と同様に、主の表示領域ＡＲＭの表示を切り換えるようになされている。
【０１９７】
図３９〜４３は、アドレス帳を例にとってこれらジョグダイヤル６２の押圧操作、戻るの操作子６４の押圧操作により表示画面の遷移を示す図である。すなわちユーザによるジョグダイヤル６２の回転操作によりアドレス帳のフォルダＦＡが選択された状態で（図３９（Ａ））、ジョグダイヤル６２が押圧操作されると、中央処理ユニット９２は、このアドレス帳の下位階層を表示する（図３９（Ｂ））。この場合、日本語と英語のフォルダＦ１、Ｆ２が下位階層として存在することにより、中央処理ユニット９２は、これらフォルダＦ１、Ｆ２を表示する。中央処理ユニット９２は、このように下位階層のフォルダを表示したカレントフォルダについては、先頭の矩形の枠で囲った＋の表示を−の表示に切り換え、これによりサブディレクトリーによるフォルダを表示していることをユーザーに告知する。またこのようにして表示した日本後と英語のフォルダについては、同様に矩形の枠で囲った＋の表示により下位階層の存在を表示する。
【０１９８】
このように下位階層を表示した状態で、ユーザーにより戻るの操作子６４が操作されると、中央処理ユニット９２は、表示を元に戻す。また何らジョグダイヤル６２が回転操作されない場合には、このアドレス帳のカレントフォルダＦＡが選択されたままに保持されており、この状態でジョグダイヤル６２が押圧操作されると、このカレントフォルダＦＡについては現在表示している以上に表示可能な下位階層が存在しないことにより、この場合も戻るの操作子６４が操作された場合と同様に、表示を元に戻す。
【０１９９】
これに対してユーザーによりジョグダイヤル６２が回転操作されると、中央処理ユニット９２は、この回転操作に応動してカーソルＫを移動させる（図４０（Ａ））及び（Ｂ））。このカーソルＫの移動により例えば日本語のフォルダＦ１が選択された状態で（図４１（Ａ））、ジョグダイヤル６２が押圧操作されると、中央処理ユニット９２は、この日本語フォルダＦ１の下位階層を表示する（図４１（Ｂ））。
【０２００】
この場合、中央処理ユニット９２は、この日本語フォルダＦ１のフォルダに具体的なファイルＦ１１、Ｆ１２が割り当てられていることにより、この場合これらファイル名Ｆ１１、Ｆ１２をこれらツリー構造により表示する。またこの場合も日本語フォルダＦ１には下位階層が表示されていることにより、先頭の矩形で囲まれた記号の表示を切り換える。さらに各ファイル名Ｆ１１、Ｆ１２にあっては、アドレススケジュールコンバータにより設定されたファイル名を表示し、さらに先頭に最下位層の表示である旨の記号Ｋ４１をファイル名の先頭に表示する。
【０２０１】
さらにこのようにファイル名によるフォルダＦ１１、Ｆ１２を表示した状態で、何らカレントフォルダを変更しないでジョグダイヤル６２が押圧操作されると、又は戻るの操作子６４が押圧操作されると、この日本語フォルダの内容の表示Ｆ１１、Ｆ１２を中止する（図４１（Ａ））。
【０２０２】
中央処理ユニット９２は、このように具体的なファイル名Ｆ１１、Ｆ１２を表示した状態で、ユーザーにより所望のファイル名が選択され、ジョグダイヤル６２が押圧操作されると、各ファイルの内容を表示する（図４２（Ａ）及び（Ｂ））。さらにこのように具体的にファイル内容を表示した状態で、ジョグダイヤル６２が押圧操作されると、又は戻るの操作子６４が操作されると、表示を元に戻す。
【０２０３】
かくするにつき、具体的なファイルの内容を表示して上位の表示に戻る場合にあっては、目的とするファイルとは異なるファイルを間違って選択した場合が考えられる。またサブディレクトリーによるフォルダを表示して何らフォルダを選択するこなく、上位の表示に戻る場合にあっても、同様に、目的とするフォルダとは異なるフォルダを間違って選択した場合が考えられる。これによりこの実施の形態では、このようなユーザーにより誤操作された場合に、わざわざ専用操作子である戻るの操作子６４を操作しくても、同じ操作の繰り返しにより元の表示に戻ることができるようになされ、その分使い勝手を向上することができるようになされている。
【０２０４】
中央処理ユニット９２は、このようなファイル内容の表示において、同一階層、同一フォルダのファイルについて、ファイル内容をシームレス表示する。
【０２０５】
（１−３−５）設定項目の処理
このようなメイン画面からの遷移に関して、中央処理ユニット９２は、ユーザーにより設定／情報の項目が選択されると、同様に階層を辿るようにしてメニューを表示し、さらにこのメニューによる設定を上位階層の表示に反映させる。
【０２０６】
すなわち設定／情報の項目が選択された後、ジョグダイヤル６２が押圧操作されると、図４３及び図４４に示すように、設定／情報の項目の下位に配置した項目を表示する。ここでこの実施の形態では、ユーザーにより設定可能な具体的な項目名が続く階層に割り当てられ、中央処理ユニット９２は、これら項目を表示する。
【０２０７】
中央処理ユニット９２は、このように下位階層の項目を表示した場合には、フォルダの表示の場合と同様に、菱形により囲った＋の記号Ｋ３６２による表示を−の記号による表示Ｋ３６３に切り換え、これによりフォルダにおける階層構造の表示の場合と同様の表現方法により既に下位階層を表示していることをユーザーに告知する。これにより中央処理ユニット９２は、フォルダにおける操作と同一の操作により所望の項目を選択できるようになされ、その分使い勝手を向上するようになされている。
【０２０８】
また中央処理ユニット９２は、各項目についても、フォルダの表示の場合と同様に、菱形により囲った＋の記号Ｋ３６２により、下位の項目が存在することを示し、これによってもフォルダにおける操作と同一の操作により更に下位の項目を開いて操作できるようになされ、その分使い勝手を向上するようになされている。
【０２０９】
さらに中央処理ユニット９２は、各設定項目については、括弧により囲って現在の設定を表示し、これによりユーザーの設定作業を簡略化できるようになされている。
【０２１０】
この実施の形態において、中央処理ユニット９２は、これら項目として、文字の大きさ、行間隔、コントラスト、プレビュー、スタート画面、パワーオフ時間、ライト点灯時間、タブ長、拡張子表示、メモリー使用状況、個人情報の項目を表示する。これらの項目のうち、メモリー使用状況は、フラッシュメモリ９６における空き容量、使用容量を確認する項目であり、個人情報の項目は、携帯端末４を保持するユーザー情報を確認する項目である。中央処理ユニット９２は、このメモリー使用状況、個人情報の項目がユーザーにより選択されてジョグダイヤル６２が押圧操作されると、対応する情報を主の表示領域ＡＲＭに表示する。
【０２１１】
これに対して文字の大きさは、表示する文字の大きさを設定する項目であり、この項目がユーザーにより選択されると、中央処理ユニット９２は、図４３（ａ）に示すように、選択可能な項目を同様のツリー構造により表示する。これにより中央処理ユニット９２は、具体的な設定に関しても、フォルダの表示の場合と同様にツリー構造により表示してユーザーによる使い勝手を向上するようになされている。
【０２１２】
中央処理ユニット９２は、このように表示した項目がカーソルにより選択されてジョグダイヤル６２が押圧操作されると、表示する文字の大きさを対応する大きさに切り換える。なおこれらの選択可能な項目について、中央処理ユニット９２は、現在選択されている項目については、他の項目とは逆に、菱形の内側を反転表示し、これによってもユーザーによる設定作業を簡略化できるようになされている。
【０２１３】
これに対して行間隔は、行間の間隔を設定する項目であり、この項目がユーザーにより選択されると、中央処理ユニット９２は、図４３（ｂ）に示すように、文字の大きさの場合と同様に、設定可能な項目をツリー構造により表示する。さらにこのように表示した項目がカーソルにより選択されてジョグダイヤル６２が押圧操作されると、行間隔を対応する間隔に切り換える。
【０２１４】
これに対してコントラストは、液晶表示パネル８４のコントラストを設定する項目であり（図４１（Ｃ））、プレビューは、図３７について上述したプレビューの領域ＡＲＣを設定する項目である（図４１（Ｄ））。またスタート画面は、電源起動時に表示する画面の設定項目であり（図４２（Ａ））、パワーオフ時間は、放置された場合に自動的に電源を遮断するまでの時間設定の項目である（図４２（Ｂ））。またライト点灯時間は、ライトの操作子６６が押圧された後、バックライトを消灯するまでの時間設定の項目であり（図４２（Ｃ））、タブ長、拡張子表示は、それぞれタブの長さ、拡張子の表示の設定に関する項目である（図４２（Ｄ）及び（Ｅ））。これらのこれらの項目についても、中央処理ユニット９２は、文字の大きさの場合と同様にしてユーザーによる設定を受け付ける。
【０２１５】
かくするにつき中央処理ユニット９２は、このようにして受け付けた設定により液晶表示パネル８４の表示を即座に切り換え、これにより下位階層である各詳細な項目設定における設定を上位階層における表示等に即座に反映するようになされている。
【０２１６】
これらによりこの携帯端末４を操作するユーザーにおいては、ファイルを確認する場合と同様の操作により、さらにはいちいちマニュアルにより確認しなくても、簡易な操作により各種項目を設定することができ、これにより使い勝手を向上することができるようになされている。
【０２１７】
（１−３−６）カーソルの表示
ところでこの限られた表示領域で、このように順次下位階層を開いてツリー構造によりフォルダを表示する場合、主の表示領域ＡＲＭに全てのフォルダをまとめて表示しきれなくなる。この場合に、パーソナルコンピュータ等に適用されるように、カーソルを移動可能な最下行まで移動させ、それ以上移動させる場合に画面の方をスクロールさせるとすると、画面をスクロールした後に、画面を逆方向にスクロールさせる場合が多々発生する。例えば、画面をスクロールして新たに表示された項目が意図しない項目の場合等である。このような無駄な操作を省くことができれば、その分ユーザーによる使い勝手を向上することができると考えられる。
【０２１８】
このため中央処理ユニット９２は、カーソルを主の表示領域ＡＲＭの中央に保持するように画面をスクロールし、画面をスクロールすることが困難な場合にだけカーソルを移動させる。すなわち図４５（Ｂ）に示すように、カーソルＫが表示画面の中央行になるように設定して、矢印ｄにより示すように表示対象をスクロール可能な場合、表示対象をスクロールさせてカーソルＫの相対的な位置を可変する。
【０２１９】
これに対して図４５（Ａ）に示すように、表示対象の最も上段の行を表示した状態で、例えば上側にカーソルＫを移動させるように指示された場合、また図４５（Ｃ）に示すように、表示対象の最も下段の行を表示した状態で、例えば下側にカーソルＫを移動させるように指示された場合、この場合は表示対象のスクロールにより相対的なカーソルＫの位置を所望する方向に変位できないことにより、矢印ｅ及びｆに示すように、カーソルＫ自体を移動させる。
【０２２０】
このようなカーソルＫの移動と整合性を取るために、このように表示対象の最も上段の行を表示した状態で、最も上段の行から中央の行までの範囲でカーソルＫを移動させるように指示された場合、さらには表示対象の最も下段の行を表示した状態で、最も下段の行から中央の行までの範囲でカーソルＫを移動させるように指示された場合、これらの場合もカーソルＫ自体を移動させる。
【０２２１】
これらによりユーザーにおいては、常にカーソルＫの前後の項目を確認してカーソルＫを操作することが可能となる。これにより中央処理ユニット９２は、従来のような、無駄な操作を省略してユーザーによる使い勝手を向上するようになされている。
【０２２２】
図４６は、このようなカーソルＫの移動に関する中央処理ユニット９２の処理手順を示すフローチャートである。中央処理ユニット９２は、ステップＳＰ４１からステップＳＰ４２に移り、ジョグダイヤル６２の押圧操作によりフォルダが指定されたか否か判断し、ここで否定結果が得られると、ステップＳＰ４２を繰り返す。これにより中央処理ユニット９２は、フォルダの指定を待機し、フォルダが指定されると、ステップＳＰ４３に移る。
【０２２３】
ここで中央処理ユニット９２は、フォルダの指定により下位階層を開いた場合等について、表示する全フォルダ数（表示に要する行数である）を計算した後、続くステップＳＰ４４において、このステップＳＰ４３で計算したフォルダ数と主の表示領域ＡＲＭにおける行数とを比較することにより、主の表示領域ＡＲＭに全フォルダを表示可能か否か判断する。
【０２２４】
ここで肯定結果が得られると（例えば図３６に示すような場合である）、中央処理ユニット９２は、ステップＳＰ４６に移り、ここで主の表示領域ＡＲＭに全フォルダを表示する。なおここでこの表示においては、主の表示領域ＡＲＭの左上端をカレントの表示位置に設定し、このカレントの表示位置から順次ツリー構造を表示するものである。さらに中央処理ユニット９２は、続くステップＳＰ４６において、カーソルの移動処理をカーソルのみの移動処理に設定した後、ステップＳＰ４２に戻る。ここでカーソルのみの移動処理とは、表示画面をスクロールすることなく、ジョグダイヤル６２の回転操作に応動してカーソルＫを上下に移動させる処理である。
【０２２５】
これに対して全フォルダを主の表示領域ＡＲＭにまとめて表示することが困難な場合、中央処理ユニット９２は、ステップＳＰ４４で否定結果が得られることにより、ステップＳＰ４７に移る。ここで中央処理ユニット９２は、主表示領域ＡＲＭの上下に余白を発生させないことを前提として、カーソルＫが主表示領域ＡＲＭの中央行になるべく近づくように、主表示領域ＡＲＭにフォルダを表示する。さらに中央処理ユニット９２は、続くステップＳＰ４８において、カーソルの移動処理をカーソル、画面のスクロール処理に設定した後、ステップＳＰ４２に戻る。
【０２２６】
ここでカーソル、画面のスクロール処理は、上述したように、カーソルを主の表示領域ＡＲＭの中央に保持するように画面をスクロールし、画面をスクロールすることが困難な場合にだけカーソルを移動させる処理である。中央処理ユニット９２は、ジョグダイヤル６２が回転操作されると、図４７に示す処理手順により、操作方向、スクロール方法を判定した後、対応する処理を実行する。
【０２２７】
すなわち中央処理ユニット９２は、ステップＳＰ５１からステップＳＰ５２に移り、ここでジョグダイヤル６２の回転操作によるスクロールの操作が実行されたか否か判断し、否定結果が得られると、ステップＳＰ５２を繰り返す。これにより中央処理ユニット９２は、スクロールの操作を待機し、ジョグダイヤル６２が回転操作されると、ステップＳＰ５２からステップＳＰ５３に移る。
【０２２８】
ここで中央処理ユニット９２は、ジョグダイヤル６２の操作方向とジョグダイヤル６２、メニューの操作子６５の押圧操作を判定することにより、順方向へのスクロールか否か判断する。なおここで順方向とは、主表示領域ＡＲＭの上から下方向へに対応するジョグダイヤル６２の回転操作によるものとする。またこの実施の形態では、ジョグダイヤル６２を何ら押圧操作しないで回転させた場合、１行を単位にしたスクロールを実行するのに対し（以下通常ページスクロールと呼ぶ）、ジョグダイヤル６２を押圧した状態で回転させた場合、又はメニューの操作子６５を押圧した状態でジョグダイヤル６２を回転させた場合、１画面分の半分の行数を単位としてスクロールするように表示画面を切り換える（以下ページスクロールと呼ぶ）。これにより中央処理ユニット９２は、ジョグダイヤル６２又はメニューの操作子６５が何ら押圧操作されないで、主表示領域ＡＲＭの上から下方向へに対応するジョグダイヤル６２の回転操作が実行された場合、順方向通常スクロールと判断してステップＳＰ５４に移る。
【０２２９】
ここで中央処理ユニット９２は、この順方向通常スクロールに対応する処理である順方向通常スクロール処理により主表示領域ＡＲＭの表示を切り換えた後、ステップＳＰ５２に戻る。これに対してステップＳＰ５３で否定結果が得られると、中央処理ユニット９２は、ステップＳＰ５３からステップＳＰ５５に移る。
【０２３０】
ここで中央処理ユニット９２は、ステップＳＰ５３と同様のジョグダイヤル６２の操作方向とジョグダイヤル６２、操作子６５の押圧操作の判定により、順方向ページスクロールの操作か否か判断する。ここで肯定結果が得られると、中央処理ユニット９２は、ステップＳＰ５６に移り、順方向ページスクロールに対応する順方向ページスクロール処理により主表示領域ＡＲＭの表示を切り換えた後、ステップＳＰ５２に戻る。
【０２３１】
これに対してステップＳＰ５５で否定結果が得られると、中央処理ユニット９２は、ステップＳＰ５５からステップＳＰ５７に移る。ここで中央処理ユニット９２は、ステップＳＰ５３と同様のジョグダイヤル６２の操作方向とジョグダイヤル６２、操作子６５の押圧操作の判定により、逆方向通常スクロールの操作か否か判断する。ここで肯定結果が得られると、中央処理ユニット９２は、ステップＳＰ５７に移り、逆方向スクロールの操作に対応する逆方向スクロール処理により主表示領域ＡＲＭの表示を切り換えた後、ステップＳＰ５２に戻る。これに対してステップＳＰ５７で否定結果が得られると、中央処理ユニット９２は、ステップＳＰ５９に移り、逆方向ページスクロールに対応する逆方向ページスクロール処理により主表示領域ＡＲＭの表示を切り換えた後、ステップＳＰ５２に戻る。
【０２３２】
図４８は、これら順方向通常スクロール処理、順方向ページスクロール処理、逆方向通常スクロール処理、逆方向ページスクロール処理のうちの、順方向通常スクロール処理の処理手順を示すフローチャートである。中央処理ユニット９２は、ステップＳＰ６１からステップＳＰ６２に移り、ここで操作に応動した１行の画面スクロールにより主表示領域ＡＲＭに余白が発生するか否か判断する。ここでこの判断は、主表示領域ＡＲＭの表示可能行数ｍａｘ、表示対象の先頭行から現在表示されている最先頭行までの行数ｏｆ、表示対象の全行数ｌｉｎｅ、スクロールする単位ａｄｄを用いて、ｍａｘ＜ｌｉｎｅ−ｏｆ−ａｄｄの関係式が成立するか否か判断することにより実行される。
【０２３３】
ここでこの関係式が成立する場合、画面のスクロールにより余白が発生することにより、中央処理ユニット９２は、ステップＳＰ６２からステップＳＰ６３に移り、カーソルＫを１行分スクロールさせた後、ステップＳＰ６４に移って元の処理手順に戻る。
【０２３４】
これに対してステップＳＰ６２において否定結果が得られると、中央処理ユニット９２は、ステップＳＰ６５に移る。ここで中央処理ユニット９２は、現在のカーソルＫの位置が主表示領域ＡＲＭの中央行か否か判断する。ここで否定結果が得られると、ステップＳＰ６３に移り、カーソルＫを移動させた後、ステップＳＰ６４に移る。かくするにつき、この場合は下位階層に移行した際に、余白を発生させないことを前提としたことにより、カーソルＫが主表示領域ＡＲＭの中央行より変位した位置に表示されている場合であり、中央処理ユニット９２は、ステップＳＰ６３において主表示領域ＡＲＭの中央行に近づくようにカーソルＫをスクロールさせることになる。
【０２３５】
これに対してステップＳＰ６５において肯定結果が得られると、中央処理ユニット９２は、ステップＳＰ６６に移り、画面を１行分だけ上方向にスクロールさせた後、ステップＳＰ６４に移って元の処理に戻る。
【０２３６】
なお順方向ページスクロール処理においては、ステップＳＰ６２における判定の処理、ステップＳＰ６３及びステップＳＰ６６におけるスクロール量が異なる点等を除いてこの順方向通常スクロール処理とほぼ同じであることにより、また逆方向通常スクロール処理、逆方向ページスクロール処理は、スクロールする方向が異なることにより対応する処理が異なる点を除いて順方向通常スクロール処理、順方向ページスクロール処理と同一の処理であることにより、ここではこれらの処理についてはフローチャートを記載した説明は省略する。
【０２３７】
これらにより中央処理ユニット９２は、ユーザーにより所望のファイルを簡易かつ迅速に確認できるようになされている。
【０２３８】
（１−３−７）プレビュー処理
このようにしてフォルダを辿って所望のファイルを検索するにつき、所望するファイルを思ってファイルの内容を表示してみたものの、間違ってファイルを開くことも考えられる。このため中央処理ユニット９２は、設定／情報の項目によりプレビューが選択されると（図４３）、図３７について上述したように、この設定による行数分だけ表示部６１の下側にプレビューの領域ＡＲＣを確保し（図３７）、カーソルにより選択されたファイルの先頭の内容をこの確保した領域ＡＲＣに表示する。
【０２３９】
これにより中央処理ユニット９２は、所望するファイルを簡易かつ確実に確認できるようになされ、その分使い勝手を向上できるようになされている。
【０２４０】
（１−１−３−８）ファイル内容のシームレス表示
ところでユーザーにおいては、プレビューの領域ＡＲＣの確保による主の表示領域ＡＲＭの減少を好まない場合も考えられる。この場合でも所望するファイルを簡易かつ確実に確認できることが望まれる。またファイルの内容については、概ね覚えているものの、プレビューにより表示されるファイルの先頭部分だけでは所望のファイルか否か判別できない場合もある。
【０２４１】
すなわち１つのファイルの末尾の部分に続いて、続くファイルの先頭の部分を表示するようにして、連続するファイルを表示し、ユーザーの操作に応じてこの表示をスクロールする（以下、シームレス表示と呼ぶ）。なおこれらファイルの先頭の部分及び末尾の部分は、テキストデータにおいては、ファイルの先頭行及び末尾の行であり、ビットマップデータにおいては、それぞれ対応する横方向に延長する領域である。
【０２４２】
さらにこのスクロールのうちのページスクロールにおいては、基本の行数分の長さによりスクロールさせながら、スクロール方向のファイルの長さに応じてスクロールさせる長さ（以下、単に行数と呼ぶ）を切り換え、これにより全てのファイルの内容を漏れなく表示して、各ファイルの先頭の部分については、主の表示領域ＡＲＭの先頭に表示する。
【０２４３】
このような場合にあっては、ファイルの格納場所については、概ね予測可能な場合が多い。これにより中央処理ユニット９２は、ユーザーが選択したファイルの内容を表示する場合には、同一フォルダであって、かつ同一階層のフォルダに属するファイルについても、ユーザーが選択したファイルの内容と連続して余白な無いように（すなわちシームレスである）表示して連続する複数ファイルを確認できるようにする。
【０２４４】
図４９は、それぞれテキストデータによるファイルであるスケジュールのファイルと、ビットマップデータである地図のファイルとをそれぞれシームレス表示した表示画面とを示す平面図である（図４９（Ａ）及び（Ｂ））。中央処理ユニット９２は、各ファイル内容Ｆ４１〜Ｆ４５の境界に、１行分の横線Ｌを表示した後、続くファイル名ＦＮを表示し、続いて１行分の横線Ｌを表示してファイル内容を表示する。
【０２４５】
さらに中央処理ユニット９２は、このようにファイル内容Ｆ４１〜Ｆ４５を表示してジョグダイヤル６２の回転操作に応動して表示画面をスクロールさせる。なおこの場合も中央処理ユニット９２は、ジョグダイヤル６２の押圧操作、メニューの操作子６５の押圧操作により通常のスクロールとページスクロールとを切り換えるようになされている。なおこのシームレス表示におけるページスクロールは、１画面に表示可能なファイルについては、ファイルを単位にして、１画面に表示困難なファイルについては、表示可能な行数−１行であるスクロールする基本の行数を単位にしてスクロールする処理である。
【０２４６】
図５０は、このようなシームレス表示における中央処理ユニット９２の処理手順を示すフローチャートである。中央処理ユニット９２は、ステップＳＰ７１からステップＳＰ７２に移り、ここでファイルが指定されたか否か判断し、否定結果が得られると、ステップＳＰ７２を繰り返す。これにより中央処理ユニット９２は、ジョグダイヤル６２の押圧操作によるファイルの指定を待機し、ファイルが指定されると、ステップＳＰ７３に移る。
【０２４７】
ここで中央処理ユニット９２は、カレントの表示位置を表示部６１の先頭行にセットする。なおここでカレントの表示位置とは、表示の処理のために表示画面上に仮に設定される位置である。中央処理ユニット９２は、続いてステップＳＰ７４に移り、このカレントの位置にユーザーが選択したファイルのファイル名（タイトル）を表示する。続いて中央処理ユニット９２は、ステップＳＰ７６に移り、ここで続く内容を１行分表示可能か否か判断する。
【０２４８】
ここで表示部６１の先頭部分においては、肯定結果が得られることにより、中央処理ユニット９２は、ステップＳＰ７７に移り、ファイルの内容を１行分表示した後、ステップＳＰ７８に移る。ここで中央処理ユニット９２は、このファイルの最終行を表示したか否か判断し、ここで否定結果が得られると、ステップＳＰ７６に戻る。これにより中央処理ユニット９２は、ユーザーにより指定されたファイルの先頭行から順次ステップＳＰ７６−ＳＰ７７−ＳＰ７８−ＳＰ７６の処理手順を繰り返して一行ずつファイルの内容を表示する。
【０２４９】
ここでこのユーザーの指定したファイルの行数が１画面分の表示可能な行数を越えるような場合、中央処理ユニット９２は、この１画面分に表示可能な行数分だけステップＳＰ７６−ＳＰ７７−ＳＰ７８−ＳＰ７６の処理手順を繰り返すと、ステップＳＰ７６で否定結果が得られることになる。これにより中央処理ユニット９２は、この場合、表示可能な行数分だけこのユーザーの選択したファイルの内容を表示した後、ステップＳＰ７６からステップＳＰ７９に移り（図５１）、スクロールの操作を待機する。
【０２５０】
これに対してユーザーの指定したファイルの行数が１画面分の表示可能な行数より短い場合、中央処理ユニット９２は、ステップＳＰ７６−ＳＰ７７−ＳＰ７８−ＳＰ７６の処理手順を繰り返してこのファイルの内容を全て表示し、最後尾の行における表示において、ステップＳＰ７８で肯定結果が得られることになる。
【０２５１】
この場合、中央処理ユニット９２は、ステップＳＰ７８からステップＳＰ８０に移る。ここで中央処理ユニット９２は、同一フォルダ内で、かつ同一階層のフォルダであって、先に表示したファイルに続くファイルが存在するか否か、すなわち続いてシームレス表示するファイルの存在を確認する。ここで否定結果が得られと、ステップＳＰ７９に移ってスクロールの操作を待機する。これにより中央処理ユニット９２は、ユーザーの指定したファイルだけ表示して、表示部６１については、余白を残したままに保持する。
【０２５２】
これに対してステップＳＰ８０で肯定結果が得られると、中央処理ユニット９２は、ステップＳＰ８１に移る。ここで中央処理ユニット９２は、続くファイルのタイトルを表示可能か否か判断する。ここでこの実施の形態では、ファイル名を表示するために、前後１行分、横線を表示することにより、中央処理ユニット９２は、残る余白が３行分以上か否か判断してタイトルを表示可能か否か判断する。
【０２５３】
ここで否定結果が得られると、中央処理ユニット９２は、ステップＳＰ７９に移ってスクロールの操作を待機する。これにより中央処理ユニット９２は、続いて表示するファイルが存在する場合でも、タイトルを表示するのに余白が不足している場合には、ユーザーの指定したファイルだけ表示して、表示部６１については、余白を残したままに保持する。
【０２５４】
これに対してステップＳＰ８１で肯定結果が得られると、中央処理ユニット９２は、ステップＳＰ８２に移り、ここでタイトルを表示する。なおこのタイトルの表示において中央処理ユニット９２は、併せて上下の横線を表示する。中央処理ユニット９２は、このようにして続くファイルのタイトルを表示すると、ステップＳＰ７６に戻り、この続くファイルについて、順次１行づつ表示可能が否か判定して表示する。これにより中央処理ユニット９２は、この続くファイルについてもユーザーの指定したファイルと同様にして表示し、表示困難になると、ステップＳＰ７６からステップＳＰ７９に移る。またさらに余白が残る場合、さらに続くファイルについても同様に処理して表示部６１に表示し、結局ファイルを表示困難になると、ステップＳＰ７６又はＳＰ８０からステップＳＰ７９に移ってスクロールの処理を待機する。
【０２５５】
これにより携帯端末４においては、ユーザーの指定したファイルを表示部６１の先頭に表示して、表示可能な限り、このユーザーの指定したファイルから連続する一連のファイルを表示するようになされている。
【０２５６】
中央処理ユニット９２は、このようにしてステップＳＰ７９に移ると（図５１）、スクロール操作されたか否か判断し、ここで否定結果が得られると、ステップＳＰ７９を繰り返す。これにより中央処理ユニット９２は、スクロールの操作を待機し、ジョグダイヤル６２が回転操作されると、ステップＳＰ７９からステップＳＰ８４に移る。
【０２５７】
ここで中央処理ユニット９２は、ジョグダイヤル６２の操作方向とジョグダイヤル６２、メニューの操作子６５の押圧操作を判定することにより、順方向通常スクロールか否か判断する。中央処理ユニット９２は、ジョグダイヤル６２、メニューの操作子６５が何ら押圧操作されないで、主表示領域ＡＲＭの下方向へのジョグダイヤル６２の回転操作が実行された場合、順方向通常スクロールと判断してステップＳＰ８５に移り、順方向通常スクロールに対応する処理である順方向通常スクロール処理により表示部６１の表示を切り換えた後、ステップＳＰ７９に戻る。
【０２５８】
これに対してステップＳＰ８４で否定結果が得られると、中央処理ユニット９２は、ステップＳＰ８４からステップＳＰ８６に移る。ここで中央処理ユニット９２は、ステップＳＰ８４と同様のジョグダイヤル６２の操作方向とジョグダイヤル６２、メニューの操作子６５の押圧操作の判定により、順方向ページスクロールの操作か否か判断する。ここで肯定結果が得られると、中央処理ユニット９２は、ステップＳＰ８７に移り、順方向ページスクロールに対応する順方向ページスクロール処理により表示部６１の表示を切り換えた後、ステップＳＰ７９に戻る。
【０２５９】
これに対してステップＳＰ８６で否定結果が得られると、中央処理ユニット９２は、ステップＳＰ８６からステップＳＰ８８に移る。ここで中央処理ユニット９２は、ステップＳＰ５３と同様のジョグダイヤル６２の操作方向とジョグダイヤル６２、メニューの操作子６５の押圧操作の判定により、逆方向通常スクロールの操作か否か判断する。ここで肯定結果が得られると、中央処理ユニット９２は、ステップＳＰ８９に移り、逆方向スクロールの操作に対応する逆方向スクロール処理により表示部６１の表示を切り換えた後、ステップＳＰ７９に戻る。これに対してステップＳＰ８８で否定結果が得られると、中央処理ユニット９２は、ステップＳＰ９０に移り、逆方向ページスクロールに対応する逆方向ページスクロール処理により表示部６１の表示を切り換えた後、ステップＳＰ７９に戻る。
【０２６０】
図５２及び図５３は、シームレス表示におけるこれら順方向通常スクロール処理、順方向ページスクロール処理、逆方向通常スクロール処理、逆方向ページスクロール処理のうちの、順方向通常スクロール処理と順方向ページスクロール処理との処理手順をまとめて示すフローチャートである。中央処理ユニット９２は、ステップＳＰ９１からステップＳＰ９２に移り、スクロールにより表示部６１に余白が発生するか否か判断する。ここでこの判断は、表示部６１の表示可能行数ｍａｘ、カレント位置（この場合表示画面の最上位行の位置）のファイルについての先頭行からカレント位置までの行数ｏｆｆｓ、カレント位置のファイルの全行数ｌｉｎｅ、スクロールする基本の行数ａｄｄを用いて、ｍａｘ≦ｌｉｎｅ−ｏｆｆｓ−ａｄｄの関係式が成立するか否か判断することにより実行される。なお通常スクロールでは、スクロールする基本の行数ａｄｄは値１であり、ページスクロールでは、スクロールする基本の行数ａｄｄは、表示部６１の行数−１があり、この場合の表示部６１の行数は、インデックス領域ＡＲＡと主表示領域ＡＲＭとの行数である。
【０２６１】
ここでこの関係式が成立しない場合、画面のスクロールにより余白が発生しないことにより、中央処理ユニット９２は、ステップＳＰ９２からステップＳＰ９３に移り、画面をスクロールさせるように、変数を変更する。なおこの変数の変更は、カレント位置のファイルについての先頭行からカレント位置までの行数ｏｆｆｓにスクロールする行数ａｄｄを加算して行数ｏｆｆｓを更新することにより実行される。中央処理ユニット９２は、続いてステップＳＰ９４に移り、この変数の変更に対応するように表示を切り換えた後、ステップＳＰ９５に移って元の処理手順に戻る。
【０２６２】
これに対してステップＳＰ９２において否定結果が得られると、中央処理ユニット９２は、ステップＳＰ９６に移る。ここで中央処理ユニット９２は、続くファイルが存在するか否か判断する。
【０２６３】
ここで肯定結果が得られると、中央処理ユニット９２は、ステップＳＰ９７に移り、スクロールにより続くファイルが表示されなくなる。ここでこの判断は、ｏｆｆｓ＋ａｄｄ≧ｌｉｎｅの関係式が成立するか否か判断することにより実行される。
【０２６４】
ここで肯定結果が得られると、中央処理ユニット９２は、ステップＳＰ９８に移り、続くファイルの先頭行を主の表示領域ＡＲＭの先頭に表示するように設定する。続いて中央処理ユニット９２は、変数ｏｆｆｓを値０に設定し、これにより続くスクロールの操作に対応できるように変数を設定した後、ステップＳＰ９４に移って表示部６１を切り換える。
【０２６５】
これにより中央処理ユニット９２は、ページスクロールにおいて、図５４（Ａ）及び（Ｂ）によりスクロールの前後の表示を示すように、ファイルＦ５１、Ｆ５２の長さが短い場合にはファイルＦ５１を単位にして、また同様に図５５（Ａ）及び（Ｂ）によりスクロールの前後の表示を示すように、ファイルＦ６１の長さが長い場合にこのファイルＦ６１の後ろ側を表示した後においては（図５５（Ａ））、スクロールにより続くファイルＦ６２の先頭を表示するように、行数を適宜変更してスクロールするようになされ、その分ユーザーの使い勝手を向上するようになされている。
【０２６６】
これに対して例えば通常スクロールではスクロールが１行単位であることにより、ステップＳＰ９７で否定結果が得られる場合がある。この場合中央処理ユニット９２は、ステップＳＰ９７からステップＳＰ９３に移り、画面をスクロールさせるように、変数を変更した後、ステップＳＰ９４に移って表示を切り換える。
【０２６７】
これに対してステップＳＰ９６で否定結果が得られると、中央処理ユニット９２は、ステップＳＰ１００（図５３）に移る。ここで中央処理ユニット９２は、スクロールにより表示される対象が無くなるか否か判断する。なおここでこの判断は、ｌｉｎｅ≦ｏｆｆｓ＋ｍａｘの関係式が成立するか否か判断することにより実行される。ここで中央処理ユニット９２は、ステップＳＰ１００で肯定結果が得られると、この場合、現在、最後尾の行数の短いファイルをカレント位置により表示している場合であることにより、ステップＳＰ１０１に移り、所定の警告メッセージを表示した後、ステップＳＰ９５に移る。なおこの警告は、図５６に示すように、「これ以上ありません」とのメッセージＭ５６であり、これ以上のスクロールが困難であることをユーザーに告知するものである。
【０２６８】
これに対してステップＳＰ１００で否定結果が得られると、この場合、行数の長い最後尾のファイルを表示している場合であって、続くスクロールで余白が発生する場合であることにより、中央処理ユニット９２は、ステップＳＰ１００からステップＳＰ１０２に移り、このファイルの末尾を表示画面の最後尾に表示するように変数を設定する。なおこの変数の設定は、変数ｏｆｆｓをｌｉｎｅ−ｍａｘに設定して実行される。中央処理ユニット９２は、このようにして変数を設定すると、ステップＳＰ９４に移って表示を切り換えた後、ステップＳＰ９５から元の処理に戻る。
【０２６９】
これにより中央処理ユニット９２は、基本の行数によりスクロールさせながら、スクロール方向のファイルの長さに応じて、スクロールさせる行数を切り換えて続くファイルの先頭行を表示領域の先頭に表示して、全てファイルの内容を漏れなく表示する。
【０２７０】
これに対して図５７は、逆方向スクロールにおける処理手順を示すフローチャートである。中央処理ユニット９２は、ステップＳＰ１１０からステップＳＰ１１１に移り、ここでスクロールにより余白が発生するか否か判断する。なおこの判断は、ｏｆｆｓ＜ａｄｄの関係式が成立するか否かの判定により実行される。
【０２７１】
ここで余白が発生しないと判断された場合、中央処理ユニット９２は、ステップＳＰ１１２に移り、行数ｏｆｆｓから行数ａｄｄを減算して行数ｏｆｆｓを更新した後、ステップＳＰ１１３に移り、この変数の変更に対応するように表示を切り換えた後、ステップＳＰ１１４に移って元の処理手順に戻る。
【０２７２】
これに対してステップＳＰ１１１において、肯定結果が得られると、中央処理ユニット９２は、ステップＳＰ１１１からステップＳＰ１１２に移る。ここで中央処理ユニット９２は、現在の表示において、カレント位置がファイルの先頭行か否か判断する。ここで否定結果が得られると、中央処理ユニット９２は、ステップＳＰ１１６に移り、カレント位置が該当ファイルの先頭行となるように変数を設定した後、ステップＳＰ１１３に移る。これにより中央処理ユニット９２は、逆方向のページスクロールにおいて、シームレス表示する先頭のファイルについては、先頭より表示するようにスクロールしてユーザーの使い勝手を向上するようになされている。
【０２７３】
これに対してステップＳＰ１１５で肯定結果が得られると、中央処理ユニット９２は、ステップＳＰ１１７に移る。ここで中央処理ユニット９２は、前ファイルが存在するか否か判断する。なおこの判断においては、順方向の場合と同様に、同一フォルダ、同一階層であるファイルについて判断する。
【０２７４】
このステップＳＰ１１７において肯定結果が得られると、中央処理ユニット９２は、ステップＳＰ１１８に移り、前ファイルをカレント位置のファイルに設定する。続いて中央処理ユニット９２は、ステップＳＰ１１９に移り、変数を変更する。ここでこの変数の変更は、このカレント位置に設定したファイルの行数ｌｉｎｅからスクロールする行数ａｄｄを減算した数値を変数ｏｆｆｓに設定して実行される。中央処理ユニット９２は、このように変数を設定すると、ステップＳＰ１１３に移って表示を切り換えた後、ステップＳＰ１１４から元の処理に戻る。なおここでこのカレント位置に設定したファイルの行数が短い場合、このように設定した変数が負の値をなることにより、この場合、中央処理ユニット９２は、この変数ｏｆｆｓを値０に設定する。これにより中央処理ユニット９２は、逆方向スクロールの場合でも、ファイルの行数が短い場合には、ファイル単位でページスクロールするようになされている。
【０２７５】
これに対してステップＳＰ１１７において否定結果が得られると、この場合、先頭ファイルを先頭行がカレント位置に表示されていることにより、中央処理ユニット９２は、ステップＳＰ１１７からステップＳＰ１２０に移り、図５６について上述したと同様のメッセージを表示した後、ステップＳＰ１１４に移る。
【０２７６】
これらにより携帯端末４では、シームレス表示におけるページスクロールにおいて、スクロール方向におけるファイルの長さである行数に応じてスクロールさせる行数を切り換え、続いて表示するファイルの先頭行が表示領域の先頭に表示される。従ってユーザーにおいては、常に表示領域の特定箇所を注視してスクロールさせるだけの操作により、また必要に応じてスクロールを中止して表示領域に表示された全体の内容を確認することにより、所望のファイルを簡易かつ迅速に確認することができる。
【０２７７】
また１つのファイルの末尾と、続くファイルの先頭との間に、少なくとも続くファイルのファイル名を表示することにより、このファイル名を手掛かりとしても所望のファイルを確認することができ、これによっても所望のファイルを簡易かつ迅速に確認することができるようになされている。
【０２７８】
（１−３−９）メニューの操作子６５の操作の処理
この実施の形態において、中央処理ユニット９２は、メニューの操作子６５の操作に応動して各表示画面において選択可能な処理のメニューを表示する。
【０２７９】
ここで操作可能な処理は、所望のファイルにマーキングを設定し、メイン画面に表示された項目の選択によりマーキングされたファイルを簡易に検索する処理、所望のファイルの所定箇所にしおりを設定する処理、またこのしおりの箇所にジャンプする処理、これらマーキング、しおりの設定を解除する処理、ビットマップデータにおいてスクロール方向を切り換える処理である。
【０２８０】
中央処理ユニット９２は、メニューの操作子６５の操作により、これらの処理のうちの操作可能な処理によるメニューをまとめて表示する。これにより中央処理ユニット９２は、これらの処理を区別することなく適宜実行できるようになされ、その分ユーザーによる使い勝手を向上できるようになされている。
【０２８１】
（１−１−３−１０）マーキング
中央処理ユニット９２は、ファイルの内容を表示した状態でメニューの操作子６５が押圧操作されると、図５８のメニュー画面Ｍ５８Ａを表示する。なおここでは、しおりが未だ設定されていない場合の表示であり、しおりが設定されている場合には、しおりの箇所にジャンプするメニューがこのメニュー画面に加えられる。またこの図５８に示す表示は、ファイルがテキストデータの場合であり、ファイルがビットマップデータの場合には、この表示にスクロール方向を切り換えるメニューが併せて表示される。
【０２８２】
なお中央処理ユニット９２は、ディレクトリーの表示においてファイルを選択した状態でメニューの操作子６５が押圧操作されると、同様にマーキングに係るメニュー画面を表示する。この場合、しおりが設定できないことにより、メニュー画面においては、ファイルの内容を表示した状態でメニューの操作子６５が押圧操作された場合のメニュー画面からしおりを設定するメニューが取り除かれて形成される。
【０２８３】
ここでマーキングは、フォルダを順次たどらなくても所望のファイルを選択可能とするために、このファイルに設定する印である。この実施の形態では複数種類のマーキングが用意され、中央処理ユニット９２においては、記号によりこれらのマーキングを識別できるようにこのメニュー画面Ｍ５８Ａを表示する。これにより中央処理ユニット９２は、これら複数種類用意されたマーキングを例えばプライベート用、仕事用等に使い分けて使い勝手を向上することができるようになされている。
【０２８４】
この実施の形態においては、これら複数種類のマーキングは、目視により識別できるように、星のマークによるマーキング、ハートのマークによるマーキング、レ点のマークによるマーキングの３種類が用意されるようになされている。これにより中央処理ユニット９２は、ユーザーによる使い勝手を向上するようになされている。中央処理ユニット９２は、これら各マーキングに対応して星印のマーキングに関するメニューＭ５８１、ハートのマーキングに関するメニューＭ５８２、レ点のマーキングに関するメニューＭ５８３をこのメニュー画面Ｍ５８Ａに表示する。
【０２８５】
中央処理ユニット９２は、このようにメニューの操作子６５の操作によりメニュー画面Ｍ５８Ａを表示した状態で、ユーザーによりジョグダイヤル６２が回転操作されると、この操作によりこのメニュー画面Ｍ５８Ａの上でカーソルＫを移動させる。なお中央処理ユニット９２は、このメニュー画面Ｍ５８Ａ上におけるカーソルＫにおいても、他の画面における場合と同様に、反転表示によりカーソルを表示し、統一的な操作により使い勝手を向上するようになされている。
【０２８６】
さらに中央処理ユニット９２は、残り設定可能なマーキングの数を各メニューＭ５８１〜Ｍ５８３に表示する。すなわちマーキングを設定し、このマーキングを基準にしてファイルを検索する場合であっても、マーキングの数が極端に増大すると却って検索が困難になる。これにより中央処理ユニット９２においては、設定可能な各マーキングの枚数を各種類でそれぞれ１０枚に設定する。しかしながらこのようにマーキングの枚数を制限すると、大事な場面でマーキングを設定できない場合も考えられる。これにより中央処理ユニット９２は、マーキングの残り枚数を表示し、必要に応じてマーキングの設定を解除して、大事な場面でマーキングを設定できなくなるような状況を有効に回避できるようになされている。
【０２８７】
また対応するメニューと併せてこの残り枚数を表示することにより、適宜残り枚数をユーザー側でチェックできるようになされ、これによっても大事な場面でマーキングを設定できなくなるような状況を有効に回避できるようになされている。
【０２８８】
さらに中央処理ユニット９２は、このジョグダイヤル６２の回転操作によりユーザーが所望のマーキングのメニューを選択した後、ジョグダイヤル６２を押圧操作すると、図５８において符号（ａ）により示すように、ユーザーの選択した記号によるマーキングをつけた旨のメッセージＳ５１を所定時間表示する。さらに中央処理ユニット９２は、この表示画面６１のカレント位置のファイル名、パスをフラッシュメモリ９６に記録する。
【０２８９】
またこのようにマーキングを設定したファイルについてメニューの操作子６５が操作されると、中央処理ユニット９２は、図５８において符号（ｂ）により示すように、設定されたマーキングについては、マーキングを消すメニューＭ５８１を表示してなるメニュー画面Ｍ５８Ｂを表示する。
【０２９０】
中央処理ユニット９２は、このメニュー画面Ｍ５８Ｂを表示した状態で、ユーザーによりジョグダイヤル６２が回転操作されると、この操作によりこのメニュー画面５８ＢのカーソルＫを移動させ、このカーソルＫの移動によりマーキングを消すメニューＭ５８１が選択されてジョグダイヤル６２が押圧操作されると、図５８において符号（ｃ）により示すように、マーキングを消した旨のメッセージＳ５２を所定時間表示し、このマーキングの設定を解除する。これにより中央処理ユニット９２は、マーキングの設定と解除とを同一の操作により実行できるようになされ、このようなマーキングにおける統一的な操作によっても使い勝手を向上するようになされている。
【０２９１】
中央処理ユニット９２は、メイン画面（図３６）において、これらマーキングに対応する項目をディレクトリーと同様に表示する。すなわちこの場合、星のマークによるマーキングに対応する星のマークの項目、ハートのマークによるマーキングに対応するハートのマークの項目、レ点のマークによるマーキングに対応するレ点のマークの項目である。中央処理ユニット９２は、このメイン画面において、これらの項目の何れかのメニューが選択された場合、図５９に示すように、フラッシュメモリ５６の記録より対応するマーキングが設定されたファイル名をツリー構造により表示する。かくするにつき、この図５９に示す例では、これらのファイルは、ｍａｉｌ  ａ、ｍａｉｌ  ｂ、ｍａｉｌ  ｃ、ｍａｉｌ  ｄ、ｍａｉｌ  ｅのファイルである。
【０２９２】
中央処理ユニット９２は、これらの処理によりマーキングされたファイルが各マーク毎のフォルダに恰もまとめられているかのように、仮想的なフォルダ構成によりこれらファイルを表示する。さらにこれらファイルの表示において、ユーザーによりファイル名が選択されてジョグダイヤル６２が押圧操作されると、このファイルの内容を表示する。
【０２９３】
これにより中央処理ユニット９２は、事前にマーキングしたファイルを簡易かつ確実に検索できるようになされている。このときこのような仮想的なフォルダによるツリー表示によりファイル名を表示することにより、ユーザーにおいては、本来のフォルダを辿ってファイルを確認する場合と同様の操作によりマーキングされたファイルを確認することができる。従ってこの操作においても統一的に実行することができ、これによっても一段と使い勝手を向上できるようになされている。
【０２９４】
さらに中央処理ユニット９２は、このようなツリー表示によりファイル名の表示においては、一度もアクセスされていないファイルについては、マークの内側を塗り潰して表示する（ｍａｉｌ  ｄのファイルである）。これによりユーザーにおいては、マーキングはしたものの、何らアクセスしないファイルを容易に確認することができ、マーキングの整理に役立てることができる。
【０２９５】
さらに中央処理ユニット９２は、このような仮想的なフォルダによりファイル内容を表示する場合でも、この仮想的なフォルダに保持された複数ファイルをシームレス表示する。さらにユーザーの操作に応動して、シームレス表示について上述したと同様に、表示した内容をスクロールする。すなわちユーザーにおいては、マーキングはしたものの、ファイル名等の記憶があやふやな場合もある。しかしながらこのようにマーキングした複数ファイルをシームレスにより表示するようにすれば、このような場合にでも所望するファイルを簡易かつ迅速に確認することができ、その分使い勝手を向上することができる。かくしてこの場合、中央処理ユニット９２は、マーキングによりユーザーに指示された複数ファイルをシームレス表示するようになされている。
【０２９６】
（１−３−１１）しおり
中央処理ユニット９２は、ファイルの内容を表示した状態でメニューの操作子６５が押圧操作されると、図６０に示すように、しおり１をはさむメニュー、しおり２をはさむメニューを有してなるメニュー画面Ｍ６０を表示する。なおここでは、しおりが未だ設定されていない場合の表示であり、しおりが設定されている場合には、しおりの箇所にジャンプするメニューが表示される。
【０２９７】
ここでしおりは、各ファイルの内容を表示した状態における設定により、各画面の表示をこの設定時の表示に切り換えるために設定される印である。この実施の形態では、しおりが２種類用意される。中央処理ユニット９２においては、数字によりこの２種類によるしおりを識別できるようにこのメニュー画面に「しおり１をはさむ」と「しおり２をはさむ」による２つのメニューを表示する。これにより中央処理ユニット９２は、これら２種類のしおりを使い分けることができるようになされている。
【０２９８】
中央処理ユニット９２は、ユーザーによるジョグダイヤル６２の回転操作により、例えばしおり１をはさむメニューが選択された後、ジョグダイヤル６２が押圧操作されると、図６０において符号（ａ）により示すように、しおり１をはさんだ旨のメッセージＳ５５を所定時間表示し、このジョグダイヤル６２が押圧操作された時点で表示されているカレント位置のファイル名、このファイルにおけるカレント位置の行数を記憶する。
【０２９９】
このようにしてしおりを設定すると中央処理ユニット９２は、図６０において符号（ｂ）〜（ｄ）により示すように、メニューの操作子６５の押圧操作によりメニュー画面を開いたとき、このメニュー画面にしおりを設定したファイル名を表示する。なおここで符号（ｂ）によるメニュー画面は、ファイル内容を表示した状態におけるメニュー画面であり、符号（ｃ）によるメニュー画面は、ファイル名を選択した状態におけるメニュー画面であり、符号（ｄ）によるメニュー画面は、フォルダを選択した状態におけるメニュー画面である。またこのメニューには、ファイル名の先頭にしたしおりの番号に対応する数字が表示される。
【０３００】
中央処理ユニット９２は、これらのメニュー画面において、ジョグダイヤル６２の回転操作によりしおりを設定したファイル名が選択されると、このファイルの内容を表示する。このとき記録したカレント位置の行数に基づいて、しおりを設定した表示画面を再現するように、このファイルを表示する。これにより中央処理ユニット９２は、長いファイル等にあっても、事前に設定した箇所を即座に確認できるようになされている。
【０３０１】
このときの実施の形態では、何れの表示画面においてもしおりを設定したファイル名を表示し、これら何れの表示画面からでもしおりを設定した表示画面を表示できることにより、格段的に迅速に所望の事項を確認することができ、その分使い勝手を向上することができる。
【０３０２】
またこのしおりの設定、しおりにより表示の切り換えについても、他の操作と統一的に実行できることにより、これによっても使い勝手を向上することができる。
【０３０３】
さらに中央処理ユニット９２は、このしおりによりジャンプした場合でも、同一フォルダ、同一階層のファイルについては、シームレス表示する。これにより所望するファイルにしおりを設定しなくても、同一フォルダ、同一階層のファイルに設定されたしおりを基準にして所望のファイルを確認することができ、これによっても使い勝手を向上することができる。
【０３０４】
（１−３−１１）横スクロール
ところでマップコンバータについて上述したように、この実施の形態においては、携帯端末４における画像表示領域に対して、ユーザーの選択により地図データを水平方向及び垂直方向に２倍の大きさによりビットマップデータに変換できるようになされている。またウェブコンバータ、イメージコンバータにおいては、何らイメージデータによる画像の大きさを制限することなくビットマップデータに変換する。これらにより携帯端末４で表示するビットマップデータにおいは、縦方向だけでなく、横方向にもスクロールさせることが必要になる。
【０３０５】
この場合に、別途、横方向のスクロール用に操作子を配置したのでは携帯端末４の構成が煩雑になる。このためこの実施の形態においては、ジョグダイヤル６２の機能を切り換えて横方向にスクロールできるようにする。
【０３０６】
すなわち中央処理ユニット９２は、ビットマップデータによる画像Ｆ６１、Ｆ６２を表示した状態でメニューの操作子６５が押圧操作されると、図６１（Ａ）に示すように、横スクロールのメニューを加えてなるメニュー画面Ｍ６１を表示する。ここでユーザーが横方向スクロールの表示を選択してジョグダイヤル６２を押圧操作すると、中央処理ユニット９２は、ジョグダイヤル６２の回転操作によるスクロール方向を縦方向から横方向に切り換える。またこれに対応して図３６（ａ）〜（ｆ）について上述したジョグダイヤル６２の回転により操作可能な方向の表示を、図３６（ｇ）〜（ｌ）に示す横方向の表示に切り換える。
【０３０７】
またこの状態で、メニューの操作子６５が押圧操作されると、図６１（Ｂ）に示すように、縦スクロールのメニューを加えてなるメニュー画面Ｍ６２を表示し、ここでユーザーが縦方向スクロールを選択してジョグダイヤル６２を押圧操作すると、ジョグダイヤル６２の回転操作によるスクロール方向を横方向から縦方向に切り換える。またこれに対応してジョグダイヤル６２の回転により操作可能な方向の表示を、縦方向の表示に切り換える。
【０３０８】
これにより中央処理ユニット９２は、ユーザーの選択によりジョグダイヤル６２を回転させて縦方向、横方向に表示画像をスクロールさせることができるようになされ、簡易な構成で、かつ全体形状を小型化できるようになされている。
【０３０９】
（２）実施の形態の効果
以上の構成によれば、スクロールにおいて、複数ファイルの内容を連続して表示することにより、複数のファイルから所望する情報を簡易かつ迅速に確認することができる。
【０３１０】
これによりこの複数ファイルが、例えばアドレス帳、電子メール等の所定のフォルダに保持されたファイルであることにより、同一フォルダに保持された同種のファイルから所望するファイルを簡易かつ迅速に確認することができる。
【０３１１】
またこの複数ファイルが、マーキング等によってユーザーにより指示されたファイルであることにより、種々のフォルダに保持された各種のファイルから所望するファイルを簡易かつ迅速に確認することができる。
【０３１２】
また所定の複数行を単位にしてファイルの内容をスクロールさせるページスクロールにおいて、スクロールの方向におけるファイルの長さに応じてスクロールさせる長さを切り換え、順方向の表示においては、１つのファイルに続くファイルである続くファイルについて、逆方向の表示においては、１つのファイルに続くファイルのうちの１つのファイルについて、このファイルの先頭の部分を表示領域の先頭に表示することにより、常に表示領域の特定箇所を注視してスクロールさせるだけの操作により、また必要に応じてスクロールを中止して表示領域に表示された全体の内容を確認することにより、所望のファイルを簡易かつ迅速に確認することができる。
【０３１３】
また１つのファイルの末尾と、続くファイルの先頭との間に、少なくとも続くファイルのファイル名を表示することにより、このファイル名を手掛かりとしても所望のファイルを確認することができ、これによっても所望のファイルを簡易かつ迅速に確認することができる。
【０３１４】
（３）他の実施の形態
なお上述の実施の形態においては、テキストデータによるファイル、ビットマップデータによるファイルを連続して表示する場合について述べたが、本発明はこれに限らず、ＨＴＭＬファイル、ＪＰＥＧファイル等、種々のファイルの内容を表示する場合に広く適用することができる。
【０３１５】
また上述の実施の形態においては、複数ファイルの末尾で、スクロールを停止させる場合について述べたが、本発明はこれに限らず、複数ファイルを循環的にスクロールさせるようにしてもよい。
【０３１６】
また上述の実施の形態においては、ユーザーによるスクロールの指示により表示画面をスクロールさせる場合について述べたが、本発明はこれに限らず、スクロールの指示は、適応される装置、アプリケーションプログラムに応じて、これら装置、アプリケーションプログラム等から受け付けるようにしてもよい。
【０３１７】
また上述の実施の形態においては、複数行分を単位にしたスクロールであるページスクロールにおいて、スクロール方向のファイルの長さに応じて、スクロールさせる長さを切り換えることにより、適宜、続くファイルの先頭行を表示領域の先頭に表示する場合について述べたが、本発明はこれに限らず、必要に応じて続くファイルの先頭行を表示領域の先頭に表示する処理を省略してもよい。
【０３１８】
また上述の実施の形態においては、基本の行数分によりスクロールさせながら、スクロール方向のファイルの長さに応じて、スクロールさせる長さを切り換えて続くファイルの先頭部分を表示領域の先頭に表示することにより、全てのファイルの内容を漏れなく表示する場合について述べたが、本発明はこれに限らず、必要に応じて常に続くファイルの先頭部分が表示領域の先頭となるように表示してもよい。なおこの場合、スクロール方向に長いファイルにあっては、末尾側が一部表示されないことになる。
【０３１９】
また上述の実施の形態においては、ファイル間の境界に、続くファイルのファイル名、横線を表示する場合について述べたが、本発明はこれに限らず、ファイル名だけ、横線だけを表示しても良く、さらにはこれらに代えてファイルの境界を示すマーク等を表示してもよい。
【０３２０】
また上述の実施の形態においては、情報処理システムの携帯端末に本発明を適用する場合について述べたが、本発明はこれに限らず、パーソナルコンピュータ等、種々の情報処理装置に広く適用することができる。
【０３２１】
【発明の効果】
上述のように本発明によれば、ファイルの内容を表示したスクロールにおいて、複数ファイルの内容を連続して表示することにより、複数のファイルから所望する情報を簡易かつ迅速に確認することができる。
【図面の簡単な説明】
【図１】本発明の実施の形態に係る情報処理システムを示す斜視図である。
【図２】図１の情報処理システムのパーソナルコンピュータを示すブロック図である。
【図３】図２のパーソナルコンピュータにおけるアプリケーションプログラムの説明に供する略線図である。
【図４】図３のアプリケーションプログラムにおけるクリップヘルパーのアイコンを示す平面図である。
【図５】図４のクリップヘルパーの設定画面を示す平面図である。
【図６】図４のクリップヘルパーによる処理結果の表示を示す平面図である。
【図７】図４のクリップヘルパーにおける処理手順を示すフローチャートである。
【図８】図３のアプリケーションプログラムにおけるイメージコンバータのメイン画面を示す平面図である。
【図９】図３のアプリケーションプログラムにおけるマップコンバータのメイン画面を示す平面図である。
【図１０】図９のマップコンバータにおけるプレビュー画面を示す平面図である。
【図１１】図３のアプリケーションプログラムにおけるアドレススケジュールコンバータのメイン画面を示す平面図である。
【図１２】図１１のアドレススケジュールコンバータにおける勤務先情報の設定画面を示す平面図である。
【図１３】図１１のアドレススケジュールコンバータにおける時間設定の画面を示す平面図である。
【図１４】図１１のアドレススケジュールコンバータにおける項目選択の設定画面を示す平面図である。
【図１５】図１１のアドレススケジュールコンバータにおける出力形式の設定画面を示す平面図である。
【図１６】図３のアプリケーションプログラムにおけるメールコンバータのメイン画面を示す平面図である。
【図１７】図１６のメールコンバータにおける処理手順を示すフローチャートである。
【図１８】図１７のメールコンバータにおける取得条件の設定画面を示す平面図である。
【図１９】図１７のメールコンバータにおける整形方法の設定画面を示す平面図である。
【図２０】図１７のメールコンバータにおけるメールソフトの設定画面を示す平面図である。
【図２１】図３のアプリケーションプログラムにおけるウェブコンバータのメイン画面を示す平面図である。
【図２２】図２１のウェブコンバータにおける設定の説明に供する平面図である。
【図２３】図２１のウェブコンバータにおける巡回先の設定画面を示す平面図である。
【図２４】図２１のウェブコンバータにおける操作の説明に供する平面図である。
【図２５】図３のアプリケーションプログラムにおけるインフォメーションマネージャのメイン画面を示す平面図である。
【図２６】図２６のインフォメーションマネージャにおける送信の説明に供する平面図である。
【図２７】図２６のインフォメーションマネージャにおける受信の説明に供する平面図である。
【図２８】図３のアプリケーションプログラムにおけるタイムキーパーの詳細設定画面を示す平面図である。
【図２９】図１の情報処理システムの携帯端末を示す斜視図である。
【図３０】図２９の携帯端末における構造を示す分解斜視図である。
【図３１】図３０の携帯端末における上側ケース示す分解斜視図である。
【図３２】図２９の携帯端末の断面図である。
【図３３】補強部材の浮き上がりを示す断面図である。
【図３４】図３０の携帯端末におけるモジュール示す分解斜視図である。
【図３５】図２９の携帯端末のブロック図である。
【図３６】図２９の携帯端末におけるメイン画面を示す平面図である。
【図３７】図３６のメイン画面においてプレビュー領域を確保した状態を示す平面図であ
【図３８】図２９の携帯端末においてフォルダの閲覧の説明に供するフローチャートである。
【図３９】図２９の携帯端末におけるツリー表示の切り換えの説明に供する平面図である。
【図４０】図３９から下位の階層側への表示の切り換えの説明に供する平面図である。
【図４１】図４０から下位の階層側への表示の切り換えの説明に供する平面図である。
【図４２】図４１から下位の階層側への表示の切り換えの説明に供する平面図である。
【図４３】設定／情報の項目の説明に供する平面図である。
【図４４】図４３の続きを示す平面図である。
【図４５】スクロールの説明に供する平面図である。
【図４６】スクロールの説明に供するフローチャートである。
【図４７】図４６の続きの説明に供するフローチャートである。
【図４８】図４７の続きの説明に供するフローチャートである。
【図４９】スクロールによる表示画面の切り換えを示す平面図である。
【図５０】スクロールの説明に供するフローチャートである。
【図５１】図５０の続きの説明に供するフローチャートである。
【図５２】図５１の続きの説明に供するフローチャートである。
【図５３】図５２の続きの説明に供するフローチャートである。
【図５４】スクロールによる表示画面の切り換えを示す平面図である。
【図５５】スクロールによる表示画面の切り換えの他の例を示す平面図である。
【図５６】スクロールにおける警告のメッセージを示す平面図である。
【図５７】逆方向スクロールの説明に供するフローチャートである。
【図５８】マーキングのメニュー画面を示す平面図である。
【図５９】マーキングしたファイルのメニューを示す平面図である。
【図６０】しおりのメニュー画面を示す平面図である。
【図６１】スクロール方向の切り換えの説明に供する平面図である。
【符号の説明】
１……情報処理システム、３……パーソナルコンピュータ、４……携帯端末、１２、９２……中央処理ユニット
【図１】
0004200409.tif 000002
【図２】
0004200409.tif 000003
【図３】
0004200409.tif 000004
【図４】
0004200409.tif 000005
【図５】
0004200409.tif 000006
【図６】
0004200409.tif 000007
【図７】
0004200409.tif 000008
【図８】
0004200409.tif 000009
【図９】
0004200409.tif 000010
【図１０】
0004200409.tif 000011
【図１１】
0004200409.tif 000012
【図１２】
0004200409.tif 000013
【図１３】
0004200409.tif 000014
【図１４】
0004200409.tif 000015
【図１５】
0004200409.tif 000016
【図１６】
0004200409.tif 000017
【図１７】
0004200409.tif 000018
【図１８】
0004200409.tif 000019
【図１９】
0004200409.tif 000020
【図２０】
0004200409.tif 000021
【図２１】
0004200409.tif 000022
【図２２】
0004200409.tif 000023
【図２３】
0004200409.tif 000024
【図２４】
0004200409.tif 000025
【図２５】
0004200409.tif 000026
【図２６】
0004200409.tif 000027
【図２７】
0004200409.tif 000028
【図２８】
0004200409.tif 000029
【図２９】
0004200409.tif 000030
【図３０】
0004200409.tif 000031
【図３１】
0004200409.tif 000032
【図３２】
0004200409.tif 000033
【図３３】
0004200409.tif 000034
【図３４】
0004200409.tif 000035
【図３５】
0004200409.tif 000036
【図３６】
0004200409.tif 000037
【図３７】
0004200409.tif 000038
【図３８】
0004200409.tif 000039
【図３９】
0004200409.tif 000040
【図４０】
0004200409.tif 000041
【図４１】
0004200409.tif 000042
【図４２】
0004200409.tif 000043
【図４３】
0004200409.tif 000044
【図４４】
0004200409.tif 000045
【図４５】
0004200409.tif 000046
【図４６】
0004200409.tif 000047
【図４７】
0004200409.tif 000048
【図４８】
0004200409.tif 000049
【図４９】
0004200409.tif 000050
【図５０】
0004200409.tif 000051
【図５１】
0004200409.tif 000052
【図５２】
0004200409.tif 000053
【図５３】
0004200409.tif 000054
【図５４】
0004200409.tif 000055
【図５５】
0004200409.tif 000056
【図５６】
0004200409.tif 000057
【図５７】
0004200409.tif 000058
【図５８】
0004200409.tif 000059
【図５９】
0004200409.tif 000060
【図６０】
0004200409.tif 000061
【図６１】
0004200409.tif 000062